(57)【要約】【課題】高効率、高性能な通信システムにおけるチャネル状態情報の測定及び報告のための方法及び装置【解決手段】  チャネル状態情報（ＣＳＩ）は、送信装置及び受信装置の間で予備条件送信のために通信システムにより使用されることができる。本発明の一つの観点において、共通の要素をもたないサブチャネルの組は、送信装置に位置を決められた送信アンテナに対して割り当てられる。パイロットシンボルは、共通の要素をもたないサブチャネルの部分集合に形成され及び伝送される。送信されたパイロットシンボルを受けると、受信装置は、パイロットシンボルを伝えた共通の要素をもたないサブチャネルのためのＣＳＩを決定する。逆方向リンク上のＣＳＩに報告するために必要な情報量は、圧縮技術及びリソース割振り技術を介して更に最小化されることができる。【選択図】    図１
2005341603.tif 000002
【特許請求の範囲】
【請求項１】
下記工程を具備する、多重ーアンテナ通信システムにおける伝送方法：
複数のアンテナの各々を複数のサブバンドの組の内の異なる１つで割り当てる、ここにおいて、複数の組の各々は複数のサブバンドの異なるサブセットを有しており、第一の組の複数のサブバンドは隣接していない；及び
複数のサブバンドの組を使用して、同時に複数のアンテナから伝送する、ここにおいて、各アンテナからの伝送は該アンテナに割り当てられたサブバンドの組上で生起する。
【請求項２】
該複数の組の各々は、同じ数のサブバンドを有している、請求項１に記載の方法。
【請求項３】
該複数の組の各々におけるサブバンドは、該複数のサブバンドを横切って均一に振り分けられる、請求項１に記載の方法。
【請求項４】
さらに、第一のパイロットシンボルを直交符号化することを具備する、請求項１に記載の方法。
【請求項５】
第一のパイロットシンボルは、ウォルッシュコードシーケンスで直交符号化される、請求項４に記載の方法。
【請求項６】
第一のパイロットシンボルは最大長シフトレジスターシーケンス（ｍ−シーケンス）を具備する、請求項１に記載の方法。    
【請求項７】
第一のパイロットシンボルは、シフトされた、添付のｍ−シーケンスを具備する、ここにおいて、該シフトされた、添付のｍ−シーケンスのそれぞれは、該ｍ−シーケンスの反復された部分を含む、請求項１１の方法。
【請求項８】
多重ーアンテナ通信システムは直交周波数分割多重化（ＯＦＤＭ）を利用する、請求項１に記載の方法。
【請求項９】
複数の伝送アンテナ；
複数の伝送アンテナに複数のパイロットシンボルを割り当てるために、複数の伝送アンテナにサブーチャネルのサブセットを割り当てるために、伝送データを予め調整するための第一のプロセッサ、ここにおいて、割り当てられたサブーチャネルのサブセットの各々は隣接せず、そして複数のサブーチャネルの異なるサブセットを含む、サブーチャネルを備える；及び
複数の変調器、各変調器は、割り当てられた各サブーチャネルのサブセット上で割り当てられた複数のパイロットシンボルを変調するために、第一のプロセッサに及び複数の伝送アンテナの少なくとも１つに連結される；
ここにおいて、複数の伝送アンテナは、各割り当てられたサブーチャネルのサブセット上で割り当てられた複数のパイロットシンボルの各々を伝送する、
を具備する基地局。  
【請求項１０】
複数のパイロットシンボルが、複数の直交パイロットシンボルを具備する、請求項９に記載の基地局。
【請求項１１】
複数のパイロットシンボルは複数の周期的ＯＦＤＭシンボルを含む、請求項９に記載の基地局。
【請求項１２】
第一のプロセッサーは、複数のシフトされた最大長シフトレジスタシーケンス（ｍ−シーケンス）を有する複数のパイロットシンボルを符号化する、請求項９に記載の基地局。
【請求項１３】
該複数の組の各々は、同じ数のサブバンドを有する、請求項９に記載の基地局。
【請求項１４】
該複数の組の各々は、複数のサブバンドを横切って均一に振り分けられる、請求項９に記載の基地局。
【請求項１５】
複数のアンテナの各々を、複数のサブバンドの組の異なる１つで割り当てるための手段、ここにおいて、該複数の組は複数のサブバンドの異なるサブセットを含み、第一の組の複数のサブバンドは隣接していない、及び    
複数のサブバンドの組を使用して、同時に複数のアンテナから伝送するための手段、ここにおいて、各アンテナからの伝送は、該アンテナに割り当てられたサブバンドの組で生起する、
を備える多重ーアンテナ通信システムにおける装置。  
【請求項１６】
複数の組の各々は、同じ数のサブバンドを含んでいる、請求項１５の装置。
【請求項１７】
該複数の組の各々におけるサブバンドは、複数のサブバンドを横切って均一に振り分けられる、請求項１５に記載の装置。
【請求項１８】
さらに、第一のパイロットシンボルを直交符号化するための手段をさらに具備する、請求項１５に記載の装置。
【請求項１９】
さらに、ウォルッシュ符号シーケンスで第一のパイロットシンボルを直交符号化するための手段を具備する、請求項１８に記載の装置。
【請求項２０】
さらに、シフトされた最大長シフトレジスタシーケンス（ｍ−シーケンス）に従って第１のパイロットシンボルを符号化するための手段を具備する、請求項１５に記載の装置。
【請求項２１】
多重ーアンテナ通信システムは、直交周波数分割多重化（ＯＦＤＭ）を利用する、請求項１５に記載の装置。
【発明の詳細な説明】
【発明の詳細な説明】
【０００１】
【発明の属する技術分野】
【０００２】
本発明は通信の分野に関する。より詳しくは、本発明は高効率、高性能な通信システムのチャネル状態情報の測定及び報告に関する。
【従来の技術】
【０００３】
今日、無線通信システムは、フェージング及びマルチパスを経験するチャネルを通して動作するために要求される。そのような通信システムは、以下にＩＳ−９５標準と称する「デュアルモード広帯域スペクトラム拡散セルラシステムのためのＴＩＡ／ＥＩＡ／ＩＳ−９５の移動局−基地局互換性標準に従う符号分割マルチプルアクセス（ＣＤＭＡ）システム」である。ＣＤＭＡシステムは、地上リンクを通してユーザ間の音声及びデータ通信をサポートする。多元アクセス通信システムのＣＤＭＡ技術の使用は、米国特許番号４、９０１、３０７のタイトル「人工衛星または地上中継器を使用しているスペクトル拡散多元接続通信システム」及び、米国特許番号５、１０３、４５９のタイトル「ＣＤＭＡセルラ電話システムの波形を形成するためのシステム及び方法」において、開示され、両方とも本発明の譲受人に譲渡され、ここにて取り込まれる。
【０００４】
ＩＳ−９５システムは、受信装置において、チャネルパラメータを評価することによって、能率的に動作することができ、そしてそこでは受信信号を復調するためにこれらの評価されたチャネルパラメータを使用する。ＩＳ−９５システムは、すべての基地局からパイロット信号の送信を要求することによって、チャネル評価を効率的にする。このパイロット信号は、受信装置によって、公知の循環するPN-タイプのシーケンスである。パイロット信号のローカルレプリカ（local replica）と受信されたパイロット信号の相関は、受信装置にチャネルの複合インパルス応答（complex impulse response）を評価させ、従って復調器パラメータを調整するのを可能にする。ＩＳ−９５の波形及びシステムパラメータにとって、受信装置により測定されたチャネルコンディション（channel conditions）上の情報を送信器ユニットへ報告することは、必要ないかもしくは有益でない。
【０００５】
無線通信に絶えず成長するよう要求が与えられるため、より高い効率、より高い性能の無線通信システムは望ましい。より高性能な無線通信システムの一つのタイプは、多重受信アンテナに伝搬チャネルを通して送信するために多重送信アンテナを使用する多重入力／多重出力（ＭＩＭＯ）システムである。より低い性能のシステムのように、ＭＩＭＯシステムの伝搬チャネルは、隣接したアンテナからの干渉と同様にマルチパスの有害な効果を受ける。送信された信号が、異なる遅延を有する多重伝搬路を通って受信装置に到着する時、マルチパス（multipath）は発生する。信号が多重伝搬路から到着する時、信号の構成要素が破壊的に結合する可能性があり、それはフェージング（fading）と呼ばれる。有効性を改良し、ＭＩＭＯシステムの複雑性を減少させるために、伝搬チャネルの特性に関する情報が、送信の前に信号をあらかじめ調整する目的で送信装置へ返送されることができる。
【０００６】
伝搬チャネルの特性が素早く変わる時、信号をあらかじめ調整することはむずかしいことがありうる。チャネル応答は、受信装置の動きのため時間とともに変化することが有りえ、また受信装置を囲む環境中で変化する。移動環境が与えられると、最適の性能は、フェージング及び干渉統計量のようなチャネル特性に関する情報が決定され、チャネル特性がかなり変化する前に送信装置にただちに送信されることを要求する。測定の遅延及びリポーティングプロセス（reporting process）が増加するにつれて、チャネル応答情報のユーティリティ（utility）は減少する。現在の要求は、チャネル特性の迅速な決定を提供する効率的な技術に対して存在する。
【発明の開示】
【０００７】
本発明は高効率、高性能な通信システムにおいて、チャネル状態情報の測定及び報告のための方法と装置に関し、下記工程を具備する：複数のパイロット信号を形成する；送信装置及び複数の受信装置間の伝搬チャネルを通して複数のパイロット信号を送信する、ここにおいて、送信装置は、少なくとも一つの送信アンテナを具備する、複数の受信装置のそれぞれは、少なくとも一つの受信アンテナを具備する、及び伝搬チャネルは、送信装置と複数の受信装置との間の複数のサブチャネル（sub-channels）を具備する；複数の受信装置のそれぞれにおいて、複数のパイロット信号のうちの少なくとも一つを受信する、複数のサブチャネルのうちの少なくとも一つのための一組の送信特性を決定する、ここにおいて、送信特性の組を決定する工程は、複数の受信装置のそれぞれで受信された複数のパイロット信号のうちの少なくとも一つを使用する；複数の受信装置のそれぞれから送信装置へ情報信号を報告する、ここにおいて、情報信号は、複数のサブチャネルのうちの少なくとも一つのための送信特性の組を伝える；及び、情報信号に基づいて、送信装置で一組の送信パラメータを最適化する。
【０００８】
ａ．本発明の第一の観点において、パイロットシンボル（pilot symbols）は、共通の要素をもたない複数のＯＦＤＭサブチャンネルの組上で送信される。パイロットシンボルが共通の要素をもたないＯＦＤＭサブチャネル上で送信される時、伝搬チャネルの特性はパイロットシンボルを伝えている一組のＫサブチャネルを通してで決定されることができる、ここにおいて、Ｋは、システム中のＯＦＤＭサブチャネルの数より少ない。共通の要素をもたないサブチャネル上のパイロットシンボルを送信することに加えて、システムは、伝搬チャネルの特性を決定するために用いられ得る時間領域のパイロットシーケンス（pilot sequence）を送信できる。パイロットシンボルの形成及び送信とともに、本発明の観点は、伝搬チャネルの特性を復元するために必要な情報の量を圧縮することである。
【０００９】
ｂ．本願発明の第２の観点に従って、下記工程を具備する、多重入力/多重出力通信システムにおける伝搬チャネルの送信特性の測定及び報告のための方法が提供される、
・複数のパイロット信号を生成する、
・該複数のパイロット信号を、伝搬チャネルを通して送信装置及び複数の受信装置の間で送信する、ここにおいて、該送信装置は、少なくとも一つの送信アンテナを具備し、該複数の受信装置のそれぞれは、少なくとも一つの受信アンテナを具備し、及び該伝搬チャネルは、該送信装置及び該複数の受信装置の間に複数のサブチャネルを具備する、
・該複数の受信装置のそれぞれで、該複数のパイロット信号のうちの少なくとも一つを受信する、
・該複数のサブチャネルのうちの少なくとも一つのための送信特性の組を決定する、ここにおいて、該送信特性の組を決定する該工程は、該複数の受信装置のそれぞれで受信した該複数のパイロット信号のうちの少なくとも一つを使用する、
該複数の受信装置のそれぞれから該送信装置へ情報信号を報告する、ここにおいて、情報信号は、該複数のサブチャネルのうちの少なくとも一つに関する該送信特性の組を伝える、及び、
・該情報信号に基づいて、送信装置で送信パラメータの組を最適化する。
【００１０】
本願発明の第２の観点に従って提供される上記方法における前記複数のパイロット信号を送信する前記工程は、下記工程を具備することができる、
・共通の要素をもたない複数の直交周波数分割多重化（ＯＦＤＭ）サブチャネルの組を生成する、ここにおいて、該共通の要素をもたない複数のＯＦＤＭサブチャネルの組は、共通の要素をもたない、実質的に直交周波数分割多重化サブチャネルの組を具備できる、及び、
・該共通の要素をもたない複数のＯＦＤＭサブチャネルの組の少なくとも一つで、該複数のパイロット信号の少なくとも一つを送信する。
【００１１】
上記少なくとも一つの送信アンテナは、他のいかなる送信アンテナからも空間的に遠く離れている場合、該共通の要素をもたない複数のＯＦＤＭサブチャネルの組を生成する前記工程は、該共通の要素をもたない複数のＯＦＤＭサブチャネルの組のうちの少なくとも一つを再利用する工程を具備する、ことができる。
【００１２】
上記複数のサブチャネルのうちの少なくとも一つのための該送信特性の組を決定する前記工程は、該共通の要素をもたないＯＦＤＭサブチャネルの組のグループを分析する工程を具備することができる。
【００１３】
上記送信特性の組は、平均的な干渉レベルを具備することができる。
【００１４】
上記送信特性の組は、ノイズレベルを具備することができる。
【００１５】
上記複数のパイロット信号は、複数の直交シーケンスを具備することができる。
【００１６】
上記複数のパイロット信号は、複数のＯＦＤＭシンボルを具備することができる。
【００１７】
上記複数のＯＦＤＭシンボルは、直交方向に符号化されることができる。
【００１８】
上記複数のＯＦＤＭシンボルは、ウォルシュコードシーケンスで直交方向に符号化されることができる。
【００１９】
上記複数のパイロット信号は、複数のシフトされた最大長のシフトレジスタシーケンス（ｍ−シーケンス）を具備することができる、ここにおいて、該複数のシフトされたｍ−シーケンスのそれぞれは、所定の周期により分割される。
【００２０】
上記複数のパイロット信号は、複数のシフトされた、添付のｍ−シーケンスを具備する、ここにおいて、該複数のシフトされた、添付のｍ−シーケンスのそれぞれは、該ｍ−シーケンスの反復された部分を含むことができる。
【００２１】
上記共通の要素をもたないＯＦＤＭサブチャネルの組の前記グループは、下記を具備することができる、
・主要なリンクと関連する該共通の要素をもたない複数のＯＦＤＭサブチャネルの組のうちの少なくとも一つ、及び、干渉するリンクの組と関連する該共通の要素をもたない複数のＯＦＤＭサブチャネルの組のうちの少なくとも一つ。
【００２２】
上記情報信号は、前記主要なリンク及び前記干渉するリンクの組に関連する前記送信特性の組を伝えることができる。
【００２３】
上記送信パラメータを報告する前記工程は、下記工程を具備することができる、
・前記主要なリンクの送信特性の組を代表する多項式の関数を生成する；及び、
・前記多項式の関数と関連する係数の組を送信する。
【００２４】
上記情報信号を報告する前記工程は、前記複数のサブチャネルのうちの少なくとも一つのための前記送信特性の組を圧縮する工程を具備することができる、ここにおいて、前記送信特性の組は、チャネル周波数応答上で実行される逆高速フーリエ変換から得られる。
【００２５】
ｃ．本願発明の第３の観点に従って提供される方法は、下記工程をさらに具備することができる、
・前記送信装置で複数のスケジューリングメッセージを生成する、及び、
・前記複数の受信装置のうちの少なくとも一つに、該複数のスケジューリングメッセージのうちの少なくとも一つを送信する、ここにおいて、該複数のスケジューリングメッセージのうちの前記少なくとも一つの受信で、前記複数の受信装置の前記少なくとも一つは、前記情報信号を報告する前記工程を予定する。
【００２６】
ｄ．本願発明の第四の観点に従って、下記を具備する、多重入力/多重出力通信システムの伝搬チャネルの送信特性を測定及び報告するための装置が提供される、
・複数のパイロット信号を生成するための手段、
・送信装置及び複数の受信装置間の伝搬チャネルを通して、該複数のパイロット信号を送信するための手段、ここにおいて、前記送信装置は、少なくとも一つの送信アンテナを具備する、前記複数の受信装置のそれぞれは、少なくとも一つの受信アンテナを具備する、及び前記伝搬チャネルは、前記送信装置及び前記複数の受信装置の間に複数のサブチャネルを具備する、
・前記受信装置において、前記複数のパイロット信号のうちの少なくとも一つを受信するための手段、
・前記複数のサブチャネルのうちの少なくとも一つのための送信特性の組を決定するための手段、ここにおいて、前記送信特性の組を決定する前記工程は、前記複数の受信装置のそれぞれで受信された前記複数のパイロット信号のうちの少なくとも一つを使用する、
・前記複数の受信装置のそれぞれから前記送信装置に情報信号を報告するための手段、ここにおいて、前記情報信号は、前記複数のサブチャネルのうちの少なくとも一つのための前記送信特性の組を伝える、及び、
・前記情報信号に基づいて、前記送信装置で送信パラメータの組を最適化するための手段。
【００２７】
本願発明の第五の観点に従って、下記工程を具備する、多重入力／多重出力（ＭＩＭＯ）システムのチャネル状態情報（ＣＳＩ）を測定及び報告するための方法が提供される、
・共通の要素をもたない複数のサブチャネルの組を複数の送信アンテナに割り当てる、
・複数の直交周波数分割多重化（ＯＦＤＭ）パイロット信号を送信装置から複数の受信装置へ送信する、ここにおいて、該複数ＯＦＤＭパイロット信号の各々は、該共通の要素をもたない複数のサブチャネルの組のうちの少なくとも一つで送信される、
・前記複数のＯＦＤＭパイロット信号を復調する、
・前記共通の要素をもたない複数のサブチャネルの組の前記ＣＳＩを決定する、ここにおいて、前記ＣＳＩを決定する前記工程は、前記復調された複数のＯＦＤＭパイロット信号を使用する、
・前記共通の要素をもたない複数のサブチャネルの組の前記ＣＳＩを、前記送信装置に送信する、及び、
・送信シンボルをあらかじめ調整する。
【００２８】
上記共通の要素をもたない複数のサブチャネルの組の前記ＣＳＩを送信する前記工程は、下記工程を具備することができる、
・前記ＣＳＩを減じられた行列に圧縮する、及び、
・前記減じられた行列の代表を前記送信装置に送信する。
【００２９】
上記減じられた行列は、チャネル応答行列及び該チャネル応答行列の複素共役を乗じた乗算結果であることができる、ここにおいて、前記チャネル応答行列は、複数の前記ＣＳＩ利得値を含むことができる。
【００３０】
上記減少した行列の前記代表は、固有モードの行列であることができる。
【００３１】
上記共通の要素をもたない複数のサブチャネルの組の前記ＣＳＩを決定する前記工程は、下記工程をさらに具備することができる、
・通信リンクが所定のしきい値より少ない数のマルチパス構成要素を有するかどうかを決定する、及び、
・前記マルチパス構成要素の数が、前記所定のしきい値より少ない場合、前記通信リンクのチャネル周波数応答の組で逆高速フーリエ変換（ＩＦＦＴ）操作を実行する、ここにおいて、前記ＩＦＦＴ操作の前記結果は、前記送信装置に送信されるチャネル状態情報である。
【００３２】
ｅ．本願発明の第六の観点に従って、下記を具備する、多重入力／多重出力通信システムのチャネル状態情報（ＣＳＩ）を測定及び報告するシステムが提供される、
・共通の要素をもたない複数のサブチャネルの組を複数の送信アンテナに割り当てるための、複数のパイロット信号を生成するための、該複数のパイロット信号のそれぞれを該共通の要素をもたない複数のサブチャネルの組のうちの少なくとも一つに割り当てるための、及び送信データをあらかじめ調整するための、基地局におけるプロセッサ、
・前記複数のパイロット信号を受信するための、及び前記複数のパイロット信号を前記複数の割り当てられた共通の要素をもたないサブチャネルの組に変調するためのプロセッサに接続された変調器、ここにおいて、前記複数の割り当てられた共通の要素をもたないサブチャネルの組は、前記複数の送信アンテナにより送信される、
・前記共通の要素をもたない複数のサブチャネルの組で伝えらたデータを受信するための、複数の受信装置のそれぞれにおける復調器、及び、
・復調されたデータを分析するための、前記複数の受信装置のそれぞれにおける前記復調器に接続されたプロセッサ、ここにおいて、前記プロセッサは、変調されたデータからのＣＳＩを決定する及び前記基地局に送信するためのＣＳＩメッセージを生成する、ここにおいて、前記ＣＳＩメッセージは、前記基地局において、送信データをあらかじめ調整するための前記プロセッサによって使われる。
【００３３】
上記複数の受信装置のそれぞれで前記復調器に接続している前記プロセッサは、前記共通の要素をもたない複数のサブチャネルの組のサブセットのための前記ＣＳＩメッセージを生成するものとすることができる。
【００３４】
上記前記基地局における前記プロセッサは、複数の直交シーケンスを具備する複数のパイロット信号を生成するものとすることができる。
【００３５】
上記基地局における前記プロセッサは、複数の定期的なＯＦＤＭシンボルを具備する複数のパイロット信号を生成するものとすることができる。
【００３６】
上記基地局における前記プロセッサは、複数のシフトされた最大長のシフトレジスタシーケンス（ｍ−シーケンス）を具備する複数のパイロット信号を生成するものとすることができる。
【特定の実施例の詳細な説明】
【００３７】
本発明の特徴、性質及び利点は、図中の全体に対応して識別する参照符号を参照しながら、後述の詳細な説明からより明瞭になる。
【００３８】
図１Ａは、発明のいくつかの実施例を実施することが可能な多重入力／多重出力（ＭＩＭＯ）通信システム１００の図である。通信システム１００は、スペクトルの有効性を増強し、性能を改良し及びフレキシビリティ（flexibility）を強化するために、アンテナ、周波数及び時間的ダイバーシティの組み合わせを提供することに有効である可能性がある。増加されたスペクトルの有効性は、利用可能なシステムの帯域幅をより活用できる時と場所において、１ヘルツ当たり１秒当たり（bps/Hz）より多くのビットを送信する能力によって、特徴付けられる。より高いスペクトルの有効性を得る技術は、下記に詳述されている。改良された性能は、例えば与えられたリンクの搬送波対雑音＋干渉比（carrier-to-noise-plus-interference ratio）（Ｃ／Ｉ）のためのより低いビット誤り率（ＢＥＲ）またはフレーム−誤り率（ＦＥＲ）によって、定量化されることができる。そして、拡張フレキシビリティは、相異し典型的に異なる要求を有する複数ユーザに対応する能力によって、特徴づけられる。一つには、これらの目標は、マルチ搬送波変調、時分割多重化（ＴＤＭ）、多重送信および／または受信アンテナ、そして、他の技術を使用することにより達成されることができる。発明の特徴、観点及び利点は、下記に詳述されている。
【００３９】
図１Ａに示すように、通信システム１００は第２のシステム１２０と通信する第１のシステム１１０を含む。システム１１０は、（１）データを受信または形成する、（２）アンテナ、周波数または時間的ダイバーシティ、またはそれらの組み合わせを提供するためにデータを処理する、及び（３）多くの変調器（ＭＯＤ）１１４ａ乃至１１４ｔに、処理された変調シンボル（modulation symbols）を提供する、（送信）データプロセッサ１１２を備える。それぞれの変調器１１４は、更に変調シンボルを処理して、送信に適しているＲＦ変調された信号を形成する。変調器１１４ａ乃至１１４ｔからのＲＦ変調された信号は、それぞれのアンテナ１１６ａ乃至１１６ｔから、通信リンク１１８を通してシステム１２０に送信される。
【００４０】
図１Ａにおいて、システム１２０は送信された信号を受信する多くの受信アンテナ１２２ａ乃至１２２ｒを含み、そしてそれぞれの復調器（ＤＥＭＯＤ）１２４ａ乃至１２４ｒに受信信号を提供する。図１Ａに示すように、それぞれの受信アンテナ１２２は、例えばシステム１１０で使用するオペレーティングモード、送受信アンテナの指向性、通信リンクの特性、その他のようないくつかのファクタ（factors）に従って一つ以上の送信アンテナ１１６から信号を受信できる。各々の復調器１２４は、送信器で使用される変調方式と相補的な復調方式を使用して、それぞれの受信信号を復調する。復調器１２４ａ乃至１２４ｒからの復調されたシンボルは、それから、出力データを提供するためにシンボルを更に処理する（受信）データプロセッサ１２６に提供される。送信器及び受信装置でのデータ処理は、下記にさらに詳述されている。
【００４１】
図１Ａは、システム１１０からシステム１２０への順方向リンク送信だけを示している。この構成は、データブロードキャスト（data broadcast）及び他の一方向のデータ送信アプリケーションのために使うことができる。双方向通信システムにおいて、簡潔さのために図１Ａに示されないが、システム１２０からシステム１１０への逆方向リンクもまた提供される。双方向通信システムのために、それぞれのシステム１１０及び１２０は、装置からデータが送信されているかまたは受信されているかどうかに従って、送信装置または受信装置、または同時に両方として動作することがありえる。
【００４２】
簡潔さのために、通信システム１００は一つの送信装置（すなわちシステム１１０）及び一つの受信装置（すなわちシステム１２０）を含むと示される。しかしながら、一般に、多重送信アンテナ及び多重受信アンテナは、それぞれの送信装置及びそれぞれの受信装置に存在する。本発明の通信システムは、いかなる数の送信装置及び受信装置をも含むことができる。
【００４３】
図１Ａに示されるように、それぞれの送信装置は単一の送信アンテナまたは多くの送信アンテナを含むことができる。同様に、これも図１Ａに示されるように、各々の受信装置は単一の受信アンテナまたはいくつかの受信アンテナを含むことができる。例えば、通信システムは、いくつかのリモートシステム（すなわち、ＣＤＭＡシステムのリモートステーションと同様の加入者ユニット）に、データを送信するいくつかのアンテナ及び上記システムからデータを受信するいくつかのアンテナを有しているセントラルシステム（central system）（すなわち、ＩＳ−９５ ＣＤＭＡシステムの基地局と同様の）を含むことができ、それらのうちのいくつかは一つのアンテナを含み、他のものは多重アンテナを含む。
【００４４】
ここで使用しているように、アンテナは空間において、分散される一つ以上のアンテナの構成要素の一まとまりを指す。アンテナの構成要素は、物理的に単一のサイトまたは分散型の上部の多重サイトに位置できる。単一のサイトで物理的に同じ位置に配置されるアンテナの構成要素は、アンテナアレー（antenna array）（例えば、ＣＤＭＡ基地局のためのような）として動作されることができる。アンテナネットワークは、一まとまりのアンテナアレーまたは物理的に切り離された要素（例えばいくつかのＣＤＭＡ基地局）から成る。アンテナアレーまたはアンテナネットワークは、ビーム（beams）を形成する能力及びアンテナアレーまたはネットワークから多重ビームを送信する能力により設計されることができる。例えば、ＣＤＭＡ基地局は、同じアンテナアレーからカバレージエリア（またはセクター）の３つの相異するセクションまで、最高３つのビームを送信するための能力により設計されることができる。このように、３つのビームは、３つのアンテナからの３つの送信として見られることが可能である。
【００４５】
本発明の通信システムは、能力と同様に相異する要求を有する加入者ユニットをサポートする能力があるマルチユーザ（multi-user）、多重アクセス通信方式を提供するように設計されることができる。この方式によって、システムの総稼動帯域幅Ｗ（total operating bandwidth）（例えば１．２２８８ＭＨｚ）が、高度に異なるデータレート、遅延及びサービス品質（ＱＯＳ）要求を有することができるサービスの相異するタイプの間で効率的に共有されることができる。
【００４６】
サービスのそのような異なるタイプの実施例は、音声サービス及びデータサービスを含む。音声サービスは、低いデータレート（例えば８ｋｂｐｓから３２ｋｂｐｓ）、短い処理遅延（例えば１００ｍｓｅｃの全体的な単方向遅延に対して３ミリ秒）、及びその延長期間の間の通信チャネルの持続した使用によって、典型的に特徴づけられる。典型的に音声サービスにより課されるこの短い遅延要求は、システムリソース（system resources）の小さい断片に、通話の間、それぞれの音声通話に当てられるよう要求する。対照的に、可変量データが散発的な時間に送られる「バースティ（bursty）」トラフィック（traffics）によって、データサービスは特徴づけられる。このデータ量は、バーストからバースト（burst - to - burst）へ、及びユーザからユーザへ、有意に変化できる。高効率のために、発明の通信システムは、必要に応じて一部の利用可能なリソース（resources）を音声サービス及びデータサービスに対する残留するリソースに割り当てる能力により設計されることができる。使用可能なシステムリソースの断片は、また、ある種のデータサービスまたはデータサービスのある種のタイプのために当てられることが可能である。
【００４７】
各々の加入者ユニットによって、なし遂げられるデータレートの分散は、いくつかの最小及び最大瞬間値（例えば、２００ｋｂｐｓから２０Ｍｂｐｓ以上まで）の間を広く変化できる。いかなる与えられたモーメント（given moment）における特定の加入者ユニットのためになし遂げられるデータレートは、使用可能な送信電力、通信リンク（すなわちＣ／Ｉ）の品質、符号方式、その他、いくつかの要因により影響され得る。それぞれの加入者ユニットのデータレート要求は、極小値（例えば、音声通話のための８ｋｂｐｓ）からサポートされる最大の瞬間ピークレート（例えば、バースティデータサービスのための２０Ｍｂｐｓ）まで様々に広く変動できる。
【００４８】
音声及びデータトラフィック（data traffic）のパーセントは、典型的に余分の時間（over time）を変更する確率変数である。本発明の一つの観点に従って、同時に効率的にサービスの両方のタイプをサポートするために、発明の通信システムは、音声及びデータトラフィックの量に基づいて利用可能リソースを動的に割り当てる能力により設計されている。以下、動的にリソースを割り当てる方式について説明する。リソースを割り当てるもう一つの方式は、上述した米国特許出願直列Ｎｏ．０８／９６３，３８６に記載されている。
【００４９】
本発明の通信システムは、上記された特徴および効果を提供し、異なる要求を有するサービスの相異するタイプをサポートすることができる。特徴は、アンテナ、周波数または時間的ダイバーシティ、またはそれらの組み合わせを使用することによって、成し遂げられる。アンテナ、周波数または時間的ダイバーシティは、独立して達成されることができ、動的に選ばれることができる。
【００５０】
ここで使用しているように、アンテナダイバーシティは、複数のアンテナを通したデータの送信および／または受信を指し、周波数ダイバーシティは、複数のサブバンド（sub-band）を通したデータの送信を指し、時間的ダイバーシティは、複数の時間周期を通したデータの送信を指す。アンテナ、周波数及び時間的ダイバーシティは、サブカテゴリ（subcategories）を含むことができる。例えば、送信のダイバーシティは、通信リンクの信頼性をいわば改良するために複数の送信アンテナを使用することを指し、受信ダイバーシティは、通信リンクの信頼性をいわば改良するために複数の受信アンテナを使用することを指し、空間のダイバーシティは、信頼性を改良するため、および／または通信リンクの容量を増強するために、多重送信及び受信アンテナを使用することを指す。送受信ダイバーシティはまた、リンク容量を増強することなく通信リンクの信頼性を改良するために、組み合わせて使うことができる。アンテナ、周波数及び時間的ダイバーシティの種々の組合せはこのように、達成されることができ、本発明の範囲内である。
【００５１】
周波数ダイバーシティは、直交周波数分割多重化（ＯＦＤＭ）のようなマルチ搬送波（multi-carrier）変調方式を用いて提供されることができ、そしてそれは、動作している帯域幅の種々のサブバンドを通ってデータを送信することを可能にする。時間的ダイバーシティは、相異する時間を通してデータを送信することにより達成され、そしてそれは、時分割多重方式（ＴＤＭ）の使用により容易に完成されることができる。本発明の通信システムのこれらの種々の観点は、下記に詳述されている。
【００５２】
本発明の一つの観点に従って、送信装置におけるいくつかの（ＮＴ）送信アンテナ、または受信装置におけるいくつかの（ＮＲ）受信アンテナ、または送信装置及び受信装置の両方における多重アンテナを使用することによって、アンテナのダイバーシティは達成される。地上通信システム（例えばセルラシステム、ブロードキャストシステム（broadcast system）、ＭＭＤＳシステム、その他）において、送信装置からのＲＦ変調された信号は、いくつかの伝送路を経て受信装置に到着できる。
【００５３】
伝送路の特徴は、いくつかのファクタに基づいて、典型的に時間を通して異なる。複数の送信または受信アンテナが使われる場合、及び、一般に少なくとも存続範囲（extent）に忠実であるが、送信及び受信アンテナ間の伝送路が独立している（すなわち、相関していない（uncorrelated）場合、アンテナの数が増加するにつれて、送信された信号を正しく受信する可能性は増大する。通常、送信及び受信アンテナの数が増加するにつれて、ダイバーシティは増大し、性能は改善される。
【００５４】
アンテナダイバーシティは、要求された性能を提供するために通信リンクの特性に基づいて動的に提供される。例えば、より高い程度のアンテナのダイバーシティは、いくつかのタイプの通信（例えば搬送）のために、いくつかのタイプのサービス（例えば音声）のために、いくつかの通信リンク特性（例えば低いＣ／Ｉ）のために、またはいくつかの他の状況または考慮のために、提供されることができる。
【００５５】
ここで使用しているように、アンテナのダイバーシティは送信のダイバーシティ及び受信のダイバーシティを含む。送信のダイバーシティのために、データは多重送信アンテナを通して送信される。典型的に、付加的処理は、所望のダイバーシティを達成するために送信アンテナから送信されたデータ上で実行される。例えば、相異する送信アンテナから送信されたデータは、遅れることができ、またはやがて再整理されることができ、または、符号化され使用可能な送信アンテナ全体に交互に配置されることができる。また、周波数及び時間的ダイバーシティが、相異する送信アンテナと連携して使うことができる。受信のダイバーシティのために、変調された信号は多重受信アンテナで受信される、及び、ダイバーシティは単に相異する伝送路を経た信号を受信することにより達成される。
【００５６】
本発明の他の観点に従って、周波数のダイバーシティはマルチ搬送波変調方式を使用することにより達成されることができる。多大な効果を有するそのような方式は、ＯＦＤＭである。ＯＦＤＭ変調によって、全体的な送信チャネルは、同じかまたは相異するデータを伝送するために用いられるいくつかの（Ｌ）並列サブチャネルに本質的に分割される。全体的な送信チャネルはＷの総稼動帯域幅を占め、各々のサブチャネルはＷ／Ｌの帯域幅を有し相異する中心周波数に中心を置くサブバンドを占める。それぞれのサブチャネルは、総稼動帯域幅の一部である帯域幅を有する。各々のサブチャネルはまた、下記のように、特定の（及びおそらく固有の）処理、符合化及び変調方式と関係し得る独立したデータ送信チャネルと考えられることが可能である。
【００５７】
データは、分割されることができ、そして周波数のダイバーシティを提供するために定義された２つ以上のいかなるサブバンドの組を通しても送信されることができる。例えば、特定の加入者ユニットに対する送信は、タイムスロット（time slot）１においてはサブチャネル１、タイムスロット２においてはサブチャネル５、タイムスロット３においてはサブチャネル２、及びその他を通して発生できる。もう一つの実施例として、特定の加入者ユニットのためのデータは、タイムスロット１（例えば、両方のサブチャネルに送信されている同じデータを有する）においてはサブチャネル１及び２、タイムスロット２においてはサブチャネル４及び６、タイムスロット３においてはサブチャネル２だけ、またその他を通して送信されることができる。オーバータイム（over time）の相異するサブチャネルを通したデータの送信は、周波数選択性フェージング及びチャネルひずみを経験している通信システムの性能を改良できる。ＯＦＤＭ変調の他の利点は、以下に記載する。
【００５８】
本発明の更に他の観点に従って、時間的ダイバーシティは相異する時間において、データを送信することにより達成され、それは時分割多重化（ＴＤＭ）を使用することでより容易に完成されることができる。データサービス（及びおそらく音声サービス）のために、データ送信は、通信リンクにおいて、時間に依存する劣化にイミュニティを提供するために選ばれることができたタイムスロットを通して発生する。時間的ダイバーシティはまた、交錯法の使用によっても達成されることができる。
【００５９】
例えば、特定の加入者ユニットに対する送信は、タイムスロット１乃至ｘを通して、または、１乃至ｘ（例えばタイムスロット１、５、８、その他）から可能なタイムスロットのサブセット（subset）に発生できる。それぞれのタイムスロットで送信されるデータ量は、可変かまたは一定でありえる。多重タイムスロットを通して送信は、例えばインパルス雑音及び干渉のための、正しいデータ受信の可能性を向上させる。
【００６０】
アンテナ、周波数及び時間的ダイバーシティの組み合わせによって、本願発明の通信システムは確固とした性能を提供できる。アンテナ、周波数および／または時間的ダイバーシティは、少なくともいくつかの送信データの正しい受信の可能性を向上させ、そしてそれは、それから他の送信において、発生する可能性があるなんらかのエラーを（例えば復号を通して）修正するために用いることができる。アンテナ、周波数及び時間的ダイバーシティの組み合わせによって、通信システムは、異なるデータレート、遅延処理、及びサービス品質要求を有するサービスの相異するタイプを同時に収めることができる。
【００６１】
本発明の通信システムは、それぞれアンテナ、周波数または時間的ダイバーシティまたはそれらの組み合わせを使用している多くの相異する通信方式において、設計され、動作されることができる。通信方式は、例えば、ダイバーシティ通信モード（diversity communications mode）及びＭＩＭＯ通信モードを含む。ダイバーシティ及びＭＩＭＯ通信モードの種々の組合せはまた、通信システムによってもサポートされることができる。また、他の通信方式も、実施されることができ、本発明の範囲内である。
【００６２】
ダイバーシティ通信モードは、送信および／または受信ダイバーシティ、周波数、または時間的ダイバーシティ、またはそれらの組み合わせを使用し、そして一般に通信リンクの信頼性を改良するために用いられる。ダイバーシティ通信モードの一つの実施の形態において、送信装置は可能な構成の有限集合から変調及び符号方式（すなわち構成）を選択する。そしてそれは、受信装置に公知である。例えば、それぞれのオーバーヘッド（overhead）及び共通チャネルは、全ての受信装置に公知である特定の構成と関連していることができる。特定のユーザ（例えば、音声通話またはデータ送信）のためにダイバーシティ通信モードを使用する時、方式および／または構成は、（例えば、前の準備から）演繹的に公知であることができ、または受信装置によって、（例えば、共通チャネルを経て）協定されることができる。
【００６３】
ダイバーシティ通信モードにおいて、データは一つ以上のアンテナから、一つ以上の期間で、一つ以上のサブチャネル上で送信される。割当られたサブチャネルは、同じアンテナと関連している、または相異するアンテナと関連しているサブチャネルである可能性がある。「純粋な」ダイバーシティ通信モードとも称するダイバーシティ通信モードの共通の適用において、データは全ての使用可能な送信アンテナから目的受信装置まで送信される。純粋なダイバーシティ通信モードは、データレート要求が低い所、またはＣ／Ｉが低い時、または両方ともあてはまるときの事例において、使うことができる。
【００６４】
ＭＩＭＯ通信モードは、通信リンクの両端でアンテナのダイバーシティを使用し、一般に両方の信頼性を改良するために用いられ、そして通信リンクの容量を増大する。ＭＩＭＯ通信モードは、アンテナのダイバーシティとあわせて周波数および／または時間的ダイバーシティを更に使用できる。ＭＩＭＯ通信モード（それは、空間通信方式としても本願明細書において、称されることができる）は、以下に記載する一つ以上の処理方式を使用する。
【００６５】
ダイバーシティ通信モードは、一般に、特に高Ｃ／Ｉレベルにおいて、ＭＩＭＯ通信モードより低いスペクトル有効性を有する。しかしながら、低い、適度なＣ／Ｉ値において、ダイバーシティ通信モードは同等の効率を達成し、より実施しやすくなることができる。一般に、ＭＩＭＯ通信モードの使用は、特に適度な高Ｃ／Ｉ値において使用されるとき、より大きいスペクトル効率を提供する。データレート要求を高くするのに適度な時、ＭＩＭＯ通信モードはこのように都合よく使うことができる。
【００６６】
通信システムは、同時にダイバーシティ及びＭＩＭＯ通信モードをサポートするように設計されることができる。通信方式は、種々の方法で適用されることができ、また、増大されたフレキシビリティ（flexibility）のために、サブチャネルベース（sub-channel basis）上で独立して適用されることができる。ＭＩＭＯ通信モードは、典型的に特定のユーザに適用される。しかしながら、それぞれの通信方式は、サブチャネルのサブセット全体に、または全てのサブチャネル全体に、或いは他の何らかのベース上で、それぞれのサブチャネルに独立して適用されることができる。例えば、ＭＩＭＯ通信モードの使用は特定のユーザ（例えばデータユーザ）に適用されることができ、同時に、ダイバーシティ通信モードの使用はもう一つの特定のユーザ（例えば音声ユーザ）に相異するサブチャネル上で適用されることができる。ダイバーシティ通信モードはまた、例えばより高い接続経路損失（path loss）を経験しているサブチャネル上で適用されることもできる。
【００６７】
本発明の通信システムはまた、いくつかの処理方式をサポートするように設計されることもできる。送信装置が通信リンクのコンディション（すなわち「状態」）を表す情報を備えている時、性能をさらに改善し効率をあげるために、付加的な処理が送信装置で実行されることができる。全チャネル状態情報（full channel state information）（ＣＳＩ）または部分的なＣＳＩは、送信装置のために使用可能でありえる。全ＣＳＩは、それぞれのサブバンドのための送受信アンテナの全ての対の間の伝搬路の十分な特性づけ（すなわち振幅及びフェーズ）を含む。全ＣＳＩは、サブバンドにつきＣ／Ｉを含む。全ＣＳＩは、下記のように、送信アンテナから受信アンテナまで伝送路のコンディションを記述している複合の利得値の一組の行列に表現されることができる。 部分的なＣＳＩは、例えば、サブバンドのＣ／Ｉを含むことができる。全ＣＳＩまたは部分的なＣＳＩによって、送信装置は受信装置への送信の前にデータをあらかじめ調整する。
【００６８】
送信装置は、送信アンテナに示される信号を、特定の受信装置に固有な方法であらかじめ調整できる（例えば、前処理はその受信装置に割り当てられたそれぞれのサブバンドのために実行される）。チャネルがその時からこれといって変化しない限り、それは受信装置により測定され、その後送信器へ送られ、送信をあらかじめ調整するために使われ、予定された受信装置は送信を復調できる。この実施の形態において、全ＣＳＩベースのＭＩＭＯ通信は、送信された信号をあらかじめ調整するために用いられたＣＳＩと関連している受信装置によって、のみ復調されることができる。
【００６９】
部分的なＣＳＩ、または非ＣＳＩ処理方式において、送信装置は共通の変調及び符号方式（例えば、それぞれのデータチャネル送信上の）を使用することができ、そしてそのときには（理論的には）全ての受信装置により復調されることができる。部分的なＣＳＩ処理方式において、単一の受信装置は、Ｃ／Ｉを指定することができ、そして全てのアンテナで使用される変調は、その受信装置（例えば、信頼性が高い送信のための）に従って、選択されることができる。他の受信装置は、送信の復調を試みることができ、それらが十分なＣ／Ｉを有する場合はうまく送信を回復できる可能性がある。共通の（例えばブロードキャスト）チャネルは、全てのユーザに到着するための非CSI処理方式を使用することができる。
【００７０】
一例として、ＭＩＭＯ通信モードが、一つの特定のサブチャネル上で４つの送信アンテナから送信されたチャネルデータストリーム（channel data stream）に適用されると仮定する。そのチャネルデータストリームは、４つのデータサブストリーム（sub-streams）に、それぞれの送信アンテナに一つのデータサブストリームに非多重化（demultiplexed）される。それぞれのデータサブストリームは、その後、そのサブバンド及びその送信アンテナのためにＣＳＩに基づいて選択された特定の変調方式（例えば、Ｍ−ＰＳＫ、Ｍ−ＱＡＭ、またはその他）を使用して変調される。４つの変調サブストリームはこのように、４つのデータサブストリームのために生成され、それぞれの変調サブストリームは変調シンボルのストリーム（stream）を含んでいる。４つの変調サブストリームは、それから、あらかじめ調整された変調シンボルを生成するために、下記の等式（１）に表されたように、固有ベクトル行列を使用してあらかじめ調整される。あらかじめ調整された変調シンボルの４つのストリームは、４つの送信アンテナの４つの結合器（combiner）に、それぞれ提供される。それぞれの結合器は、受信されたあらかじめ調整された変調シンボルを、関連する送信アンテナの変調シンボルベクトルストリーム（modulation symbol vector stream ）を生成するための他のサブチャネルの変調シンボルを用いて結合する。
【００７１】
並列データストリームが各々の割当られたサブチャネルの各々のチャネル固有モード（eigenmodes）上で特定のユーザに送信されるＭＩＭＯ通信モードにおいて、典型的に全ＣＳＩに基づく処理が使用される。全ＣＳＩに基づく類似した処理は、使用可能な固有モードのサブセット上のみの送信が、各々の割当られたサブチャネル（例えば、ビームステアリング（beam steering）を実行するために）に収容されるところにおいて、実行されることができる。全ＣＳＩ処理（例えば送受信装置での増大された複雑性、受信装置から送信装置へのＣＳＩの送信のための増大されたオーバーヘッド、その他）と関係するコストのため、全ＣＳＩ処理は、性能及び効率の付加的な増加が正当化されるところにおけるＭＩＭＯ通信モードにおけるある事例に適用されることができる。
【００７２】
全ＣＳＩが使用可能でない事例において、伝送路（または部分的なＣＳＩ）上のより少ない記述情報は、使用可能であることがあり得、送信の前にデータをあらかじめ調整するために用いることができる。例えば、各々のサブチャネルのＣ／Ｉは、使用可能であり得る。Ｃ／Ｉ情報はその後、重要な、及びシステム容量が増大するサブチャネルにおいて、要求された性能を提供するために、種々の送信アンテナからの送信を制御するために用いられることが可能である。
【００７３】
ここで使用しているように、全ＣＳＩに基づく処理方式は、全ＣＳＩを使用する処理方式を示し、また、部分的なＣＳＩに基づく処理方式は、部分的なＣＳＩを使用する処理方式を示す。全ＣＳＩに基づく処理方式は、例えば、ＭＩＭＯ通信モードの全ＣＳＩに基づく処理を利用する全ＣＳＩ ＭＩＭＯモードを含む。例えば、部分的なＣＳＩに基づく方式は、ＭＩＭＯ通信モードの部分的なＣＳＩに基づく処理を利用する部分的なＣＳＩ ＭＩＭＯモードを含む。使用可能なチャネル状態情報（例えば固有モードまたはＣ／１）を使用して送信装置がデータを予め調整することを可能とするために、全ＣＳＩかまたは部分的なＣＳＩ処理が使用される事例において、受信装置からのフィードバック情報は要求され、そしてそれは逆リンク容量の一部を使用する。したがって、全ＣＳＩ及び部分的なＣＳＩに基づく処理方式と関係するコストがある。そのコストは、どの処理方式を使用するべきかについての選択の考慮に入れられなければならない。部分的なＣＳＩに基づく処理方式は、オーバーヘッドの要求がより少なく、いくつかの事例において、より効率的でありえる。オーバーヘッドを要求しない、ＣＳＩに基づく処理方式は一つもなく、他のいくつかの環境の下で、全ＣＳにＩ基づく処理方式または部分的なＣＳＩに基づく処理方式より効率的であり得るＣＳＩに基づく処理方式は一つもない。
【００７４】
図２は、本願発明の通信システムの少なくともいくつかの観点を視覚的に例示した図である。図２は、送信装置において、ＮＴ送信アンテナの一つからの送信の具体例を示す。図２において、横軸は時間であり、縦軸は周波数である。この例では、送信チャネルは１６のサブチャネルを含んでおり、一連のＯＦＤＭシンボルを送信するために用いられ、それぞれのＯＦＤＭシンボルは、１６のサブチャネルの全てをカバーしている（一つのＯＦＤＭシンボルは、図２の最上位に示され、１６のサブバンドの全てを含む）。ＴＤＭ構造も図示されており、データ送信はタイムスロットに仕切られ、それぞれのタイムスロットは、例えば一つの変調シンボルの長さの持続時間を有する（即ち、それぞれの変調シンボルは、ＴＤＭインターバルとして使われる）。
【００７５】
使用可能なサブチャネルは、信号、音声、トラフィックデータ（traffic data）、その他を送信するために用いられることが可能である。図２に示される実施例において、タイムスロット１の変調シンボルはパイロットデータに対応する。そして、それは受信装置が同期しチャネル評価を実行するのを助けるために周期的に送信される。時間とともにパイロットデータ及び周波数を分散するための他の技術が、使われることもでき、それはまた、本発明の範囲内である。加えて、全てのサブチャネルが使用される場合（例えばおよそ１／Ｗのチップ期間を伴うＰＮコード）、パイロットインターバルの間、特定の変調方式を利用することは有利であることあり得る。パイロット変調シンボルの送信は特定のフレームレート（frame rate）で典型的に発生する。そしてそれは通常、通信リンクの変動の正確な追跡を可能にするのに十分速く選択される。
【００７６】
パイロット送信に使用されないタイムスロットは、従って様々なタイプのデータを送信するために用いるられることが可能である。例えば、サブチャネル1及び2は受信装置に、制御及びブロードキャストのデータを送信するために確保されることができる。これらのサブチャネル上のデータは、一般に全ての受信装置により受信されることを目的とする。しかしながら、制御チャネル上のいくつかのメッセージは、ユーザに特異的であり得、ことができて及びしたがって、エンコードされることができる。
【００７７】
音声データ及びトラフィックデータは、残りのサブチャネルにおいて、送信されることができる。図２に示される実施例にとって、タイムスロット（time slots）２乃至９におけるサブチャネル３は音声通話１に使われ、タイムスロット２乃至９におけるサブチャネル４は音声通話２に使用され、タイムスロット５乃至９におけるサブチャネル５は音声通話３に使用され、及びタイムスロット７乃至９におけるサブチャネル６は、音声通話６に使用される。
【００７８】
残りの使用可能なサブチャネル及びタイムスロットは、トラフィックデータの送信に使うことができる。図２に示される実施例において、データ一つの送信が時間の５乃至１６が溝をつけるサブチャネルを使用すること２及び時間の７乃至１６が溝をつけるサブチャネル７、データ２つの送信は時間の５乃至１６が溝をつけるサブチャネルを使用する３及び４及び時間の６乃至１６が溝をつけるサブチャネル５、データ３つの送信は時間の６乃至１６が溝をつけるサブチャネルを使用する６、データ４つの送信は時間の７乃至１６が溝をつけるサブチャネルを使用する８、データ５つの送信はタイムスロット９及びデータ６つの送信の７乃至１１が使用するサブチャネルを使用する時間の１２乃至１６が溝をつけるサブチャネル９。データ１乃至６の送信は、一つ以上の受信装置へのトラフィックデータの送信を表すことができる。
【００７９】
本発明の通信システムは、トラフィックデータの送信を柔軟にサポートする。図２に示すように、特定のデータ送信（例えばデータ２）は多重サブチャネルおよび／または多重タイムスロットを通して発生できる及び、多重データ送信（例えばデータ５及び６）は一つのタイムスロットで発生できる。データ送信（例えばデータ１）はまた、連続しないタイムスロットで発生することもできる。システムは、一つのサブチャネル上の多重データ送信をサポートするように設計されることもできる。例えば、音声データはトラフィックデータによって、多重送信されることができる、及び単一のサブチャネル上で送信されることができる。
【００８０】
データ送信の多重化は、ＯＦＤＭシンボルからシンボルまで潜在的に変わることができる。さらに、この通信方式は、ユーザとユーザで相異できる（例えば、一つの音声またはデータの送信とその他で）。例えば、音声ユーザはダイバーシティ通信モードを使用することができ、データユーザはＭＩＭＯ通信モードを使用できる。この概念は、サブチャネルレベルまで拡大されることができる。例えば、データユーザは、残りのサブチャネルの十分なＣ／Ｉ及びダイバーシティ通信モードを有するサブチャネルのＭＩＭＯ通信モードを使用できる。
【００８１】
アンテナ、周波数及び時間的ダイバーシティは、多重アンテナから、相異するサブバンドの多重サブチャネル上で、多重タイムスロットを通して、データを送信することによって、それぞれ達成されることができる。例えば、特定の送信（例えば、音声通話1）のアンテナのダイバーシティは、２つ以上のアンテナを通して特定のサブチャネル（例えば、サブチャネル1）上で（音声）データを送信することにより達成されることができる。特定の送信（例えば、音声通話1）の周波数のダイバーシティは、相異するサブバンド（例えば、サブチャネル１及び２）の２つ以上のサブチャネル上でデータを送信することにより達成されることができる。アンテナ及び周波数のダイバーシティの組み合わせは、２つ以上のアンテナから及び２つ以上のサブチャネル上でデータを送信することによって、得られることが可能である。時間的ダイバーシティは、多重タイムスロットを通してデータを送信することにより達成されることができる。例えば、図２に示すように、タイムスロット７におけるデータ１送信は、タイムスロット２におけるデータ1送信の（例えば、新規または繰り返しの）部分である。
【００８２】
同じかまたは相異するデータは、所望のダイバーシティを得るために多重アンテナからおよび／または多重サブバンド上で送信されることができる。例えばデータは、（１）一つのアンテナから一つのサブチャネルで、（２）多重アンテナから一つのサブチャネル（例えばサブチャネル１）で、（３）全てのＮＴアンテナから一つのサブチャネルで、（４）一つのアンテナから一組のサブチャネル（例えばサブチャネル１及び２）で、（５）多重アンテナから一組のサブチャネルで、（６）全てのＮＴアンテナから一組のサブチャネルで、または（７）一組のアンテナから一組のチャネルで（例えば一つのタイムスロットにおいて、アンテナ１及び２からサブチャネル１、もう一つのタイムスロットにおいて、アンテナ２からサブチャネル１及び２、及びその他）送信されることができる。このように、サブチャネル及びアンテナのいかなる組み合わせも、アンテナ及び周波数のダイバーシティを提供するために用いられることが可能である。
【００８３】
最も多くのフレキシビリティを提供し、高性能及び高効率を達成する能力がある本発明のある実施例に従って、それぞれの送信アンテナのためのそれぞれのタイムスロットにおけるそれぞれのサブチャネルは、例えばパイロット、信号、ブロードキャスト、音声、トラフィックデータ、及びその他、又はそれらの組み合わせ（例えば、多重化音声及びトラフィックデータ）のようないかなるタイプのデータを送信するために使用されることができる、送信の独立ユニット（すなわち変調シンボル）として見られることが可能である。そのような設計において、音声通話は時間とともに動的に割り当てられた相異するサブチャネルでありえる。
【００８４】
フレキシビリティ、性能及び効率は、下記のように、変調シンボルの間の独立性を認めることによって、更に達成される。例えば、その特定の時間、周波数及び空間でリソースの最良の使用に結びつく変調方式（例えば、Ｍ−ＰＳＫ、Ｍ−ＱＡＭ、その他）から、それぞれの変調シンボルを、生成できる。
【００８５】
いくつかの制約は、送信装置及び受信装置の設計及び実施の形態を単純化するために設定されることができる。例えば、音声通話は電話の間に、特定のサブチャネルに割り当てられることが可能である、または、サブチャネルとしてのそのような時間まで、再割当は実行される。また、信号および／またはブロードキャストデータは、受信装置が演繹的に、データを受信するためにどのサブチャネルを復調するべきかについて知っているために、いくつかの固定サブチャネル（例えば図2に示すように、制御データのためのサブチャネル1及び、ブロードキャストデータのためのサブチャネル2）に指定されることができる。
【００８６】
また、それぞれのデータ送信チャネルまたはサブチャネルは、送信の間または新規な変調方式が割り当てられるような時まで、特定の変調方式（例えば、Ｍ−ＰＳＫ、Ｍ−ＱＡＭ）に制限されることができる。例えば、図２において、サブチャネル３上の音声通話１は、ＱＰＳＫを使用することができ、サブチャネル４上の音声通話２は、１６−ＱＡＭを使用することができ、タイムスロット２におけるデータ１の送信は、８−ＰＳＫを使用することができ、タイムスロット３乃至５におけるデータ２の送信は、１６−ＱＡＭ、及びその他を使用できる。
【００８７】
ＴＤＭの使用は、音声データ及びトラフィックデータの送信により大きいフレキシビリティを与え、リソースの種々の割当ては予測されることができる。例えばユーザは、それぞれのタイムスロットのために一つのサブチャネルを、または同等に、４つのタイムスロット毎に４つのサブチャネルを、またはその他の割り当てを割当てられることが可能である。ＴＤＭは、改良された効率のために指定されたタイムスロット（slot(s)）でデータが集められ及び送信されることを可能にする。
【００８８】
音声活動が送信器で実施される場合、サブチャネル効率が最大にされるために、どんな音声も送信されていないインターバル（intervals）で、送信器は他のユーザをサブチャネルに割り当てることができる。使われていない音声周期を通じてはどんなデータも送信できない結果、ネットワークのもう一つのセルの同じサブチャネルを使用しているシステムの他のユーザに現れる干渉レベルを減少し、送信器は、サブチャネルにおいて、送信される電力を減少、（またはターンオフ（turn-off））させることができる。同じ特徴はまた、オーバーヘッド、制御、データ及び他のチャネルに拡大されることができる。
【００８９】
連続する時間周期に渡る使用可能なリソースのわずかな部分の割当ては、典型的により小さい遅延という結果になり、音声のような遅延高感度サービスにより適していることができる。TDMを使用している送信は、可能な限りの付加的な遅延をかけて、より高い効率を提供できる。本発明の通信システムは、ユーザ要求を満たすためにリソースを割り当てることができ、高い効率及び性能を達成できる。
【００９０】
［ＭＩＭＯシステムのチャネル状態情報の測定及び報告］
関連する分散的なチャネル効果を有し、多重送信アンテナ及び多重受信アンテナを使用するシステムの複雑性、を考慮すると、好適な変調技術はＯＦＤＭであり、それは、チャネルを一組の非干渉狭帯域チャネルまたはサブチャネルに効果的に分解する。適当なＯＦＤＭ信号デザインによって、ひとつのサブチャネル上で送信された信号は、「平坦で、弱まっている」ように見える、すなわち、チャネル応答は、サブチャネルバンド幅以上で実際上一定である。チャネル状態情報またはＣＳＩは、それぞれのサブチャネルのための送受信アンテナの全ての組の間の伝搬経路（即ち、振幅及び位相）の十分な特性描写を含む。ＣＳＩも、Ｃ／Ｉ情報として公知である、それぞれのサブチャネルの干渉及びノイズの相対的なレベルの情報を含む。ＣＳＩは下記のように、送信アンテナから受信アンテナへの送信経路の状態を記述している複合の利得値の一組の行列に表現されることができる。ＣＳＩについては、送信装置は受信装置に送信する前にデータをあらかじめ調整する。
【００９１】
ＣＳＩ処理を以下に簡潔に記載する。ＣＳＩが送信装置で使用可能な時、単純な方法は多重入力／多重出力チャネルを一組の独立チャネルに分解することである。送信装置において、チャネル転送機能を与えられて、残された固有ベクトルは、相異するデータストリーム（data streams）を送信するために用いられることが可能である。それぞれの固有ベクトルにより使用される変調アルファベットは、固有値によって、与えられるその方式の使用可能なＣ／Ｉにより決定される。ＨがＮＴ送信装置アンテナの構成要素のためのチャネル応答を与えるＮRｘＮT行列、及び特定の時間におけるＮＲ受信装置アンテナの構成要素、であるとすれば、及びｘがチャネルへの入力のＮＴベクトルであるとすれば、受信された信号は、
【数１】
2005341603.tif 000003
【００９２】
として表されることができる。ここで、ｎは干渉を加えたノイズを表すＮＲベクトルである。その共役−転置を有するチャネル行列の積により形成されるＨ行列の固有ベクトルの分解は、
【数２】
2005341603.tif 000004
【００９３】
として表されることができる。ここで、シンボル＊は共役−転置を示し、Ｅは固有ベクトル行列であり、
【数３】
2005341603.tif 000005
【００９４】
は固有値の対角行列であり、両方ともＮＴxＮＴ次元である。送信装置は、固有ベクトル行列Ｅを使用して、ＮＴ変調シンボルの組ｂを変換する。ＮＴ送信アンテナから送信された変調シンボルは、それゆえ、
【数４】
2005341603.tif 000006
【００９５】
として表されることができる。全てのアンテナのための、前処理は、
【数５】
2005341603.tif 000007
【００９６】
として表される行列乗算演算により達成されることができる。 ここで、ｂl、ｂ2…及びｂNTは、それぞれ送信アンテナ１、２…ＮTの特 定のサブチャネルのための変調シンボルであり、ここにおいて、それぞれ の変調シンボルは、例えばＭ−ＰＳＫ、Ｍ−ＱＡＭ及びその他を使用して、 下記のように生成されることができる；
Ｅ＝は、送信アンテナから受信アンテナまでの送信損失に関する固有ベクトル行列である；及び、ｘ1、ｘ2．．．ｘNTは、あらかじめ調整された変調シンボルであり、
【数６】
2005341603.tif 000008
【００９７】
として表されることができる。
【００９８】
Ｈ＊Ｈはエルミート（Hermitian）であるので、固有ベクトル行列は単一である。それで、ｂの構成要素が同等の電力を有するとすれば、ｘの構成要素も同等の電力を有する。受信された信号は、
【数７】
2005341603.tif 000009
【００９９】
として表されることができる。
【０１００】
受信装置は、チャネル-整合フィルタ操作、続いて、正しい固有ベクトルによる乗算を実行する。チャネル-整合フィルタ操作の結果はベクトルｚであり、
【数８】
2005341603.tif 000010
【０１０１】
として表されることができる。ここで、新規なノイズ術語は、
【数９】
2005341603.tif 000011
【０１０２】
として表されることができる共分散を有する。即ち、ノイズ構成要素は、固有値によって与えられる変化から独立している。ｚのｉ番目の構成要素のＣ／Ｉは、λｉであり、
【数１０】
2005341603.tif 000012
【０１０３】
のｉ番目の対角の構成要素である。
【０１０４】
送信装置はこのように、固有値によって与えられるＣ／Ｉに基づいて、各々の固有ベクトルのための変調アルファベット（即ち、信号集団）を選択できる。ＣＳＩが受信装置において測定され、そして送信装置において送信をあらかじめ調整するために報告され使用される時間の間、チャネル状態がこれといって変わらないという条件で、通信システムの性能は、既知のＣ／Ｉを有する独立したＡＷＧＮチャネルの組のそれと同等であり得る。
【０１０５】
そのようなシステムは、図１Ｂにおいて、例示される。ステップ１４１において、送信装置１４０は多重データサブチャネルにデータを変換する。相異するＱＡＭ集団は、ＳＮＲの方式及びサブチャネルに依存して使用される。それぞれのサブチャネルのためのデータは、そのサブチャネルのための固有モード行列によって、あらかじめ調整される。ステップ１４２において、特定のアンテナのためのあらかじめ調整されたデータは、時間−領域信号を生み出すために逆の高速フーリエ変換（ＩＦＦＴ）操作を受ける。ステップ１４３において、伝搬チャネルの時間分散がある場合には、周期的拡張または周期的プレフィックス（prefix）がＯＦＤＭサブチャネルの中の直角を維持するために時間−領域信号に追加される。一つの延長されたシンボル値は、それぞれのＯＦＤＭサブチャネルのために生成されて、これ以後はＯＦＤＭシンボルとして称される。ステップ１４４において、ＯＦＤＭシンボルは、多重送信アンテナから送信される。
【０１０６】
受信装置１４５の多重アンテナは、ステップ１４６で信号を受信する。ステップ１４７において、受信された信号は、受信された信号をチャネライズする（channelize）ために離散的なフーリエ変換（ＤＦＴ）操作を受ける。ステップ１４８において、全ての受信アンテナを通したそれぞれのサブチャネルからのデータは処理される。この処理工程において、チャネル特性に関する情報は、データから抜き取られて、より圧縮されたフォーマットに変換される。一つの圧縮技術は、共役チャネル応答の使用、及び、チャネル特性を記載するために必要な情報の量を減じる固有モード行列である。ステップ１４９において、圧縮されたチャネル状態情報を含んでいるメッセージは受信装置１４５から送信装置１４０まで送信され、それは更なる送信をあらかじめ調整するために用いられる。
【０１０７】
ＣＳＩの派生を容易にするために、送信波形は、最初の前置きのための周知のパイロットシンボルから構成される。
【０１０８】
相異する送信アンテナのためのパイロット波形は、図１ＣにＮｔ＝４の場合として図示されたように、ＯＦＤＭサブチャネルの共通の要素をもたない組を具備する。
【０１０９】
ＯＦＤＭ変調によって、伝搬チャネルは、Ｌ平行サブチャネルに分割される。
【０１１０】
ＣＳＩをただちに決定するために、完全に周知のシンボルから構成されている最初の前置きが送信される。相異する送信−受信アンテナパターンの異なるチャネル応答を効率的に区別するために、パイロット信号はサブチャネルの共通の要素をもたないサブセットを割り当てられる。図１Ｃは、共通の要素をもたないサブチャネルのサブセットから構成される例示的なOFDMパイロット構造の図である。サブチャネル｛０、１、２、．．．２ｎ−１｝から構成されたサブチャネルの組は、共通の要素をもたない４つのサブチャネルのサブセットＡ＝｛０、４、８、．．．２ｎ−４｝、Ｂ＝｛１、５、９、．．．２ｎ−３｝、Ｃ＝｛２、６、１０、．．．２ｎ−２｝、及び、Ｄ＝｛３、７、１１、．．．２ｎ−１｝に分解される。サブチャネルのサブセットＡ１５０は、送信アンテナＴｘ１ １５１上で送信され、サブチャネルのサブセットＢ１５２は、送信アンテナＴｘ２ １５３上で送信され、サブチャネルのサブセットＣ１５４は、送信アンテナＴｘ３ １５５上で送信され、サブチャネルのサブセットＤ１５６は、送信アンテナＴｘ４ １５７上で送信される。全てのサブチャネルは、送信アンテナの間で共通の要素をもたないため、通常、それぞれの送信アンテナは、チャネル全体のすべてのＮｔｈサブチャネル上で送信する。周知のパイロットシンボルは、サブチャネルのサブセット中の全てのサブチャネル上で送信されることができる。特定の送信アンテナによって、使われるサブチャネル間の最小間隔は、チャネルパラメータ（channel parameters）の関数である。チャネル応答が大きい遅延拡散を有する場合、それで、密な間隔が必要であり得る。要求された間隔が、単一のＯＦＤＭシンボルをもつ全てのユーザのために達成されることができるわけではないほどアンテナの数が十分な大きさでない場合、一つ以上の多重パイロットシンボルでサブチャネルの共通の要素をもたないサブセットを割り当てられるそれぞれのアンテナと共に、多くの連続的なＯＦＤＭシンボルが使用されることができる。
【０１１１】
送信装置におけるそれぞれの送信アンテナから、受信装置は共通の要素をもたないサブチャネル上のパイロットシンボルを受信して、共通の要素をもたないサブチャネルのチャネル特性に関して決定をする。上述したように、受信装置は一つ以上の受信アンテナを有することができる。ｘ＝｛ｘｉ、ｉ ＝１、．．．Ｋ｝は、単一の送信アンテナのためのＫパイロットサブチャネル上で送信されるべきパイロットシンボル値であると仮定する。受信装置は、値ｙij＝ｈijｘij＋ｎijを受信する。ここにおいて、ｈijはｊｔｈ受信アンテナで受信されるｉｔｈパイロットサブチャネルのための複合のチャネル応答であり、ｎijはノイズである。この関係から、受信装置は単一の送信アンテナのＫサブチャネルのチャネル応答の雑音評価を決定できる。これらの雑音が多い評価は、例えばチャネル分散、及び、ノイズレベルに関する演繹的な情報を使用して、より複雑な評価に対する単純な補間のような多くの相異する方法で、伝搬チャネルの全てのサブチャネルのための評価を導き出すために用いられる。その評価は、連続的なＯＦＤＭシンボルの上のパイロットシンボルを送信し、その後それぞれの連続的なＯＦＤＭシンボルの評価を平均することによって、改良されることができる。
【０１１２】
評価は、パイロットシンボルを放送しているそれぞれの送信アンテナのためのそれぞれの受信アンテナで生成される。完全な伝搬チャネルのためのＣＳＩは、チャネル応答行列の組｛Ｈi、ｉ＝１、２、…２ｎ｝により表されることができ、ここで、行列Ｈiは、ｉｔｈサブチャネルと関連している、及び、それぞれの行列Ｈiの構成要素は、｛ｈijk，ｊ＝１，．．．，Ｎｒ，ｋ＝１，．．．，Ｎｔ｝であり、各々のＮｔ送信及びＮｒ受信アンテナのための複合チャネル応答値である。 共通の要素をもたないサブチャネルのサブセットの使用は、更にシステム、ここでは多重リンクで適用されることができ、例えば、送信装置から一つ以上の受信装置への伝搬チャネルは、ごく近接して配置される。基地局がセクターに従って信号を送信するシステムにおいて、セクターの送信領域は、もう一つのセクターの送信領域と部分的に重なり合うことができる。理想的な基地局において、それぞれのセクターの送信アンテナは、他のセクターの送信アンテナに割り当てられる方向から、完全に共通の要素をもたない方向に信号を送信する。残念なことに、重なり合う領域は扇形に分割された基地局の大部分に存在する。本発明の本実施例を用いて、基地局の全ての送信アンテナが、その基地局の間の干渉を避けるために、サブチャネルの共通の要素をもたないサブセットを割り当てられる。同様に、隣接した基地局も重要な干渉の原因であり得、サブチャネルの共通の要素をもたない組は、基地局の間で割り当てられることが可能である。
【０１１３】
応答が原理リンクのために計算されるのと同様に、一般にチャネル応答の計算は、共通の要素をもたないサブチャネルのサブセットを割り当てられるすべてのリンクに作られることが可能である。しかしながら、これらの干渉しているリンクからのCSIの減少量は、送信装置に報告されることができる。例えば、隣接したリンクの平均的な総干渉レベルに関する情報は送信されることができ、原理リンクの支持できるデータレートを決定するために使用される。いくつかの干渉しているリンクが平均的な総干渉レベルを支配する場合、これらのリンクの干渉情報は、それぞれの共通の要素をもたないサブチャネルのサブセット中でサブチャネルのより効果的なグループ化を決定するためにシステムに個々に報告されることができる。
【０１１４】
送信装置へ運ばれることができる他のＣＳＩ情報は、主要なリンクに割り当てられないサブチャネルの全測定電力である。隣接したリンクに割り当てられるサブチャネルの全測定される電力は、ノイズ電力を加えた全干渉の評価を与える。いくつかのＯＦＤＭシンボルがパイロットシンボルとして使われる場合、チャネル応答を測定した平均、及び、受信信号の実際の値は、与えられたサブチャネル中の全ノイズを直接評価するために使用されることができる。
【０１１５】
一般に、基地局のネットワークのためのサブチャネルの割り当ては、「周波数−再利用」パターンに従わなければならない。ここにおいて、リンクが距離によって、十分に隔てられる時、同じサブチャネルが使われる。多数のリンクが互いに干渉している場合、ＯＦＤＭサブチャネルの数は、すべてのパイロットＯＦＤＭシンボルのためにサブチャネルの割り当てを可能にするには不十分であり得る。この状況において、送信アンテナは、すべてのＰ番目のパイロットシンボル毎にサブチャネルを割り当てられることが可能である。ここにおいて、Ｐは、（１）のものより大きい整数値である。
【０１１６】
本発明のもう一つの実施例において、ＯＦＤＭ方式は、同一のサブチャネルまたは共通の要素をもたないサブチャネルのどちらかを使用する送信アンテナの間の干渉を最小化するまたは取り除くＯＦＤＭシンボル値を作成するように設計される。ウォルシュ符合化のような直交コードは、Ｑパイロット信号をパイロット信号を代表するＱ直交信号に変換するために用いられることが可能である。ウォルシュコードが使われる場合には、パイロット信号の数は２の累乗であろう。直交コードの使用が、隣接したリンクからの干渉を減らすために、以前議論された共通の要素をもたないサブチャネルのサブセットと共に使うことができる。例えば、およそｌＭＨｚのシステムバンド幅を備えた４ｘ４ＭＩＭＯシステムにおいて、２５６のＯＦＤＭサブチャネルが使われることになっていると仮定する。マルチパスが１０マイクロ秒に限られている場合、パイロットシンボルを伝えている共通の要素をもたないサブチャネルは、およそ５０ｋＨｚ間隔で、またはより接近して間隔を置かれなければならない。それぞれのサブチャネルは、およそ４ｋＨｚの幅であるので、１２のサブチャネルの間隔は４８ｋＨｚの幅である。ＯＦＤＭサブチャネルが２０のサブチャネルの１２の組にそれぞれ分割される場合、１６は未使用で残される。２つの連続的なＯＦＤＭシンボルはパイロット信号として使われ、そしてこれら２つのシンボル上の直交符合化が使用される。それゆえに、２４の相異する直交パイロットの割当てがある。これらの２４の直交パイロットは、相異する送信アンテナに割り当てられ、そして干渉を最小化するためにリンクする。
【０１１７】
本発明のもう一つの実施例において、多数の周期的なＯＦＤＭシンボルが、パイロットデータとして使うことができる。多数の相異する送信アンテナからの干渉レベルの正確な測定が行われるために、ＯＦＤＭシンボルの数は十分に大きくなければならない。これらの平均的な干渉レベルは、種々のサイトからの同時送信上で、即ち、全てのユーザにほぼ同等の性能を与える適応ブランキング方式（blanking scheme）上で、システム―広がり制約（system-wide constraints）を設けるために用いられるであろう。
【０１１８】
本発明の代替の実施例において、パイロット信号としてＯＦＤＭシンボルを利用しないＭＩＭＯシステムのために、ＭＩＭＯ伝搬チャネルのＣＳＩが決定及び送信されることができる。その代わりに、最大長のシフトレジスタシーケンス（Shift Register sequence）（ｍ−シーケンス）が、伝搬チャネルを伝える（sound）ために用いられることが可能である。ｍ−シーケンスは、フィードバックを有するシフトレジスタの出力である。Ｍ−シーケンスは、シーケンスのいかなるゼロでない循環シフトによっても、シーケンスの全周期にわたる相関は値−１を生ずる、という特性を含んだ望ましい自己相関特性を有し、ここにおいて、シーケンス値は＋／−１である。それゆえに、ゼロシフト（zero shift）の相関はＲである、ここにおいて、Ｒはシーケンスの長さである。マルチパスがある場合には、相関のような望ましい特性を維持するために、チャネルの遅延拡散に等しい一部のシーケンスは反復されなければならない。
【０１１９】
例えば、チャネルマルチパスがいくつかの時間τmに限られている、及び、パイロットシーケンスの長さが少なくともＲτmの場合、同じｍ−シーケンスの相異するＲシフトは、最小の相互干渉のみで使うことができる。これらの相異するＲシフトは、基地局の相異する送信アンテナ及び重大な干渉の原因である他の基地局に割り当てられる。
【０１２０】
遠くに隔てられているＭＩＭＯシステムのリンクは、相異するｍ−シーケンスを割り当てられることが可能である。相異するｍ−シーケンスの相互相関特性は、単一のシーケンスの最小の相関特性及びそのシフトを示さないが、しかし相異するｍ−シーケンスは、多少ランダムシーケンスのようにふるまい、Ｒがシーケンス長であるところの√Rの平均的な相関レベルを提供する。この平均的な相関レベルは、リンク間の分離の理由で、ＭＩＭＯシステムに用いられるために一般に十分である。
【０１２１】
フィードバックを有するシフトレジスタは、全ての可能なｍ−シーケンスを生成するので、シーケンスは、長さＲ＝２ｍ−１の単一の符号語のバージョンを単にシフトするだけである。ここにおいて、ｍは、正の整数値である。それゆえに、相異するバイナリ（binary）ｍ−シーケンスの数は限られる。重要な干渉が起こる可能性がある領域において、同じｍ−シーケンスの再利用を避けるために、フィルタを通したより長いｍ−シーケンスのバージョンが使うことができる。
【０１２２】
フィルタを通したｍ−シーケンスのバージョンはもはやバイナリではないが、それでも同じ基本的相関特性を表示する。
【０１２３】
例えば、パイロットシーケンスがｌＭＨｚのレートで送信される、及び、マルチパスが１０マイクロ秒に限られていると仮定する。基地局に３つのセクターがあると仮定すると、ここにおいて、送信アンテナはサイトにつき合計１２だから４つの送信アンテナがそれぞれのセクターに割り当てられる。長さ１２７のｍ−シーケンスが使用される場合、シーケンスの１２の相異するシフトは、それぞれ１０の標本の相関的なシフトと共に、単一の基地局のアンテナに割り当てられることが可能である。送信されたパイロットの全長は従って１３７マイクロ秒であり、それはマルチパス拡散を収容するための１０の追加の標本を加えたシーケンスの全周期である。従って、相異する基地局は、同じｍ−シーケンスからの干渉の効果を最小にするために設計された符号再利用パターンにおいて反復された、相異するｍ−シーケンスを割り当てられることが可能である。
【０１２４】
ここで議論される発明の実施例は、当業者が、伝搬チャネルの特性を引き出して、そのような特性を送信サイトに報告することを可能にするパイロット信号の設計及び送信を目的としている。しかしながら、全ＣＳＩは情報量が多いうえに非常に重複している。多くの方法は、送信されるＣＳＩ情報の量を圧縮するために有効である。以前に議論された一つの方法は、エルミート行列Ｈ＊Ｈを使用する方法であり、ここにおいて、Ｈは受信装置で決定されたチャネル応答である。
【０１２５】
エルミート行列Ｈ＊Ｈは、送信装置に報告されることができて、送信をあらかじめ調整するために用いられることが可能である。エルミート行列の特性のために、行列の構成要素の半分（例えば行列Ｈ＊Ｈの複合の小さい三角形の部分のような）及び実数値の対角線だけが送信される必要がある。受信アンテナの数が送信アンテナの数より大きい場合、付加的な有効性が実現する。逆方向のリンク上で送信装置に送信される情報の量を減らすもう一つの方法は、送信装置にチャネル応答行列Ｈiのサブセットだけを報告することである。そこから、報告されてないチャネル応答行列は補間方式で決定されることができる。もう一つの方法において、サブチャネル全体のチャネル応答の関数表現は、それぞれの送信／受信アンテナ対のために得られることができ、例えば、チャネル応答の多項式の関数代表が生成されることができる。多項式の関数の係数は、それで送信装置に送信される。
【０１２６】
ＣＳＩ情報を圧縮するためのこれらの方法に代わるものとして、本発明の一実施例はチャネル応答の時間−領域表現の送信を目的とする。そしてそれは、チャネルインパルス（channel impulse）の応答である。マルチパスの構成要素が２つか３つだけであるケースのように、チャネル応答の時間−領域表現が単純な場合、逆のＦＦＴは、チャネル周波数応答の組で実行されることができる。逆のＦＦＴ操作は、送信／受信アンテナ対間のそれぞれのリンクのために実行されることができる。結果として生じるチャネルインパルス応答は、送信装置に報告される一組の振幅及び遅延に変換される。
【０１２７】
上述したように、逆方向のリンク中のＣＳＩの送信にかかわるコストがあり、そしてそれは、上記の発明の実施例がＭＩＭＯシステムで実施される時、減少される。コストを減らすためのもう一つの方法は、それらのＣＳＩ要求のショートターム（short term）の平均に従ってユーザを選択することである。チャネルが弱まるようにＣＳＩ要求は変化する。そして、逆のリンク上の改良された有効性は、ユーザがＣＳＩ要求の量を推定する場合に達成され、及び、ユーザにより観察される伝搬チャネルの変化レートに従って、周期的または非周期的であり得る間隔で基地局に通知する。基地局は、それでこのファクタを順方向及び逆方向の使用の計画（scheduling）に含むことができる。ゆっくり変化している伝搬チャネルと関連しているユーザは、急速に変化している伝搬チャネルと関連しているユーザほど頻繁に報告しないので、スケジューリングは取り決められることが可能である。基地局は、また、システムユーザの数、及び、公平性ようなファクタを考慮するために計画を取り決めることができる。
【０１２８】
本発明の本実施例のもう一つの観点において、長い送信周期のＣＳＩ更新は、伝搬チャネルの実際の変化に従って調整されることができるので、時間間隔が割り当てられることが可能である。伝搬チャネルの変化は、多くの可能な道のうちのうちの一つの受信サイトにおいて、監視されることができる。例えば、シンボルについての柔軟な決定と最も密なＱＡＭ集団値との間の違いは、標準として決定及び使用されることができる、または、デコーダ測定基準の相対的なサイズもまた、使用されることができる。与えられた標準の品質が所定のしきい値以下に落ちる時、ＣＳＩに対する更新は送信装置に報告される。
【０１２９】
チャネルフェージングが頻繁に起こり得る場合であっても、種々の遅延で観察される平均的な累乗は一定のままであるので、リンクの全体的なマルチパス累乗-遅延プロファイル（profile）は、非常にゆっくり変化する。それゆえに、リンクを特徴づけるために要求されるＣＳＩの量は、リンクからリンクまで実質的に変化できる。性能を最適化するために、ＣＳＩの符合化は、特定のリンクの要求に合わせて調整される。ＣＳＩが周波数領域の形式、即ち、挿入されるべきチャネル応答行列の組に送られる場合、マルチパスをほとんど伴わないリンクは、チャネル応答行列の小さな組だけを要求する。
【０１３０】
［高効率、高性能な通信システムの構造上の構成要素］
図３は、図１Ａのシステム１１０のデータプロセッサ１１２と変調器１１４のブロック図である。システム１１０により送信される全てのデータを含む集積され、入力されたデータストリームは、データプロセッサ１１２の範囲内のデマルチプレクサ（DEMUX）３１０に提供される。デマルチプレクサ３１０は、入力されたデータストリームを多くの（Ｋ）チャネルデータストリームＳ1からＳkに、非多重化する。それぞれのチャネルデータストリームは、例えば信号チャネル、ブロードキャストチャネル、音声通話またはトラフィックデータの送信に対応できる。それぞれのチャネルデータストリームは、特定の符号化方式を使用しているデータをコード化するそれぞれのエンコーダ３１２に提供される。
【０１３１】
符号化は、誤り訂正符合化または誤り検出符合化を、もしくはその両方ともを含むことができ、リンクの信頼性を増大するために使用される。さらに明確には、そのような符号化は、例えばインターリービング（interleaving）、回旋状の（convolutional）符合化、ターボ（Turbo）符合化、格子（Trellis）符合化、ブロック符合化（例えば、リード-ソロモン（Reed-Solomon ）符合化）、周期的冗長性（cyclic redundancy）チェックの（CRC）符合化、及びその他を含むことができる。ターボ符号化は、米国特許出願番号０９／２０５５１１、１９９８年１２月４日に出願のタイトル「線形コングルエンシャル（Congruential）シーケンスを使用しているターボコードインターリーバー（Interleaver）」及び、以下にＩＳ−２０００標準として称される文書タイトル「ｃｄｍａ２０００ ＩＴＵ−Ｒ ＲＴＴ対象発信（Candidate Submission）」中に更に詳述されており、その両方は本願明細書に引用されている。
【０１３２】
図３に示すように、符号化は、チャネルベース毎で、即ちそれぞれのチャネルデータストリーム上で、実行されることができる。しかしながら符号化はまた、集積された入力データストリーム、多くのチャネルデータストリーム、または一部のチャネルデータストリームで、一組のアンテナ、一組のサブチャネル、一組のサブチャネル及びアンテナ、またはそれぞれのサブチャネル全体に、それぞれの変調シンボル、または他のいくつかの時間、空間、及び周波数のユニットで、実行されることができる。エンコーダ３１２ａ乃至３１２ｋからのコード化されたデータは、変調シンボルを生成するためにデータを処理するデータプロセッサ３２０に供給される。
【０１３３】
一つの実施の形態において、データプロセッサ３２０は、一つ以上のタイムスロットにおいて、一つ以上のアンテナ上で、それぞれのチャネルデータストリームを一つ以上のサブチャネルに割り当てる。例えば、音声通話に対応するチャネルデータストリームのために、データプロセッサ３２０は一つのアンテナ（送信のダイバーシティが使われない場合）または多重アンテナ（送信のダイバーシティが使われる場合）の一つのサブチャネルをその電話のために必要なだけ多くのタイムスロットに割り当てることができる。信号またはブロードキャストチャネルに対応するチャネルデータストリームに関して、データプロセッサ３２０は、一つ以上のアンテナの指定されたサブチャネル（sub-channel(s)）を、送信のダイバーシティが使われるかどうかに再び依存して割り当てることができる。データプロセッサ３２０は、その後で、残りの使用可能なリソースをデータ送信に対応するチャネルデータストリームに割り当てる。データ送信のバースティな性質、及び、遅延に対するより大きい耐性のために、高い性能、及び、高効率のシステム・オブジェクトが達成されるように、データプロセッサ320は使用可能なリソースを割り当てることができる。データ送信はこのように、システムの目的を達成するために「計画される」。
【０１３４】
それぞれのチャネルデータストリームがそのそれぞれのタイムスロット（time slot(s)）、サブチャネル（sub-channel(s)）、及びアンテナ（antenna(s)）に割り当てられた後に、チャネルデータストリームのデータはマルチ搬送波変調を使用して変調される。ＯＦＤＭ変調は、多数の効果を提供するために使用される。ＯＦＤＭ変調の一つの実施の形態において、それぞれのチャネルデータストリームのデータはブロックに分類され、それぞれのブロックは特定のデータビット数を有する。それぞれのブロックのデータビットは、その後そのチャネルデータストリームと関連している一つ以上のサブチャネルに割り当てられる。
【０１３５】
それぞれのブロックのビットは、その後別々のサブチャネルに非多重化され、それぞれのサブチャネルは、潜在的に相異する（即ち、サブチャネルのＣ／Ｉ、及びＭＩＭＯ処理が使用されるかどうかに基づいた）ビット数を伝達する。各々のこれらのサブチャネルのために、ビットはそのサブチャネルと関連している特定の変調方式（例えば、Ｍ−ＰＳＫまたはＭ−ＱＡＭ）を使用している変調シンボルに分類される。例えば、１６−ＱＡＭについては、信号集団は、複素平面（即ち、ａ＋ｊ＊ｂ）の１６の点で構成され、複素平面のそれぞれの点は４ビットの情報を伝達する。ＭＩＭＯ処理方式において、サブチャネルのそれぞれの変調シンボルは変調シンボルの線形の組合せを表し、それぞれは相異する集団から選択されることができる。
【０１３６】
Ｌ変調シンボルのコレクションは、次元Ｌの変調シンボルベクトルＶを形成する。変調シンボルベクトルＶのそれぞれの構成要素は、変調シンボル伝達される固有の周波数またはトーンを有する特定のサブチャネルと関連している。これらのＬ変調シンボルのコレクションは、全てお互いに直角である。それぞれのタイムスロットで、及び、それぞれのアンテナのために、Ｌサブチャネルに対応するＬ変調シンボルは、逆の高速フーリエ変換（ＩＦＦＴ）を使用しているＯＦＤＭシンボルに結合される。それぞれのＯＦＤＭシンボルは、Ｌサブチャネルに割り当てられたチャネルデータストリームからのデータを含む。
【０１３７】
ＯＦＤＭ変調は、論文タイトル「データ送信のためのマルチキャリアー（Multicarrier）変調：時間が到来する観念」Ｊｏｈｎ Ａ． Ｃ． Ｂｉｎｇｈａｍ、（ＩＥＥＥ通信誌、１９９０年５月）に更に詳細に記載されており、本願明細書中に引用されている。
【０１３８】
データプロセッサ３２０は、このようにＫチャネルデータストリームに対応するコード化されたデータを受信及び処理し、ＮＴ変調シンボルベクトル、Ｖ1乃至ＶNT、それぞれの送信アンテナに一つの変調シンボルベクトル、を提供する。いくつかの実施の形態において、いくつかの変調シンボルベクトルは相異する送信アンテナのために予定された特定のサブチャネル上で二重の情報を有する可能性がある。変調シンボルベクトルＶ1乃至ＶNTは、それぞれ変調器１１４ａ乃至１１４ｔに提供される。
【０１３９】
図３において、それぞれの変調器１１４は、ＩＦＦＴ３２０、周期的プレフィックス発生器３２２、及び、アップコンバータ３２４を含む。ＩＦＦＴ３２０は、受信された変調シンボルベクトルをＯＦＤＭシンボルと呼ばれているそれらの時間-領域表現に変換する。ＩＦＦＴ３２０は、いかなる数のサブチャネル（例えば、８、１６、３２、その他）でもＩＦＦＴを実行するように設計されることができる。あるいは、ベクトルはＯＦＤＭにシンボルを変換されるそれぞれの変調シンボルのために、周期的プレフィックス発生器３２２は、特定のアンテナのための送信シンボルを形成するためにＯＦＤＭシンボルの一部の時間−領域表現を反復する。周期的プレフィックスは、マルチパス遅延拡散がある場合には、送信シンボルがその直角の特性を保持すると保証し、それによって、下記のように有害な経路効果に対して性能を改良する。ＩＦＦＴ３２０、及び、周期的プレフィックス発生器３２２の実施の形態は、公知技術でありここでは詳細に記載されない。
【０１４０】
それぞれの周期的プレフィックス発生器３２２（即ち、それぞれのアンテナのための送信シンボル）からの時間−領域表現は、アップコンバータ３２４により処理され、アナログ信号に変換され、ＲＦ周波数に変調され、そして、それぞれのアンテナ１１６から送信されるＲＦ変調信号を生成するために調整される（例えば拡大、及び、濾波）。
【０１４１】
図３はまた、データプロセッサ３２０のブロック図を示す。それぞれのチャネルデータストリーム（即ち、コード化されたデータストリームＸ）のためのコード化されたデータは、それぞれのチャネルデータプロセッサ３３２に提供される。チャネルデータストリームが、（少なくともいくつかの送信の重複なしで）多重サブチャネルおよび／または多重アンテナにおいて、送信されるべきである場合、チャネルデータプロセッサ３３２は、チャネルデータストリームをデータサブストリームの数（Ｌ・ＮＴまで）に非多重化する。それぞれのデータサブストリームは、特定のアンテナにおける特定のサブチャネル上の送信に対応する。典型的な実施の形態において、いくつかのサブチャネルが信号、音声、及び、データの他のタイプのために使用されるので、データサブストリームの数はＬ・ＮＴより少ない。データサブストリームは、結合器３３４に供給されるそれぞれの割り当てられたサブチャネルのためのサブストリームに対応して生成処理される。結合器３３４は、その後変調シンボルベクトルストリームとして提供される変調シンボルベクトルに、それぞれのアンテナのために指定される変調シンボルを結合する。ＮＴアンテナのためのＮＴ変調シンボルベクトルストリームは、その後次の処理ブロック（即ち、変調器１１４）に提供される。
【０１４２】
最も多くの柔軟性、最良の性能、及び、最も高い効率を提供する設計において、それぞれのサブチャネルに、それぞれのタイムスロットで送信される変調シンボルは、個々に独立して選択されることができる。この特徴は、時間、周波数及び、空間の３次元全体に渡って、使用可能なリソースの最善の使用を可能とする。それぞれの変調シンボルにより送信されるデータビットの数は、このように異なることがありえる。
【０１４３】
図４は、一つのチャネルデータストリームの処理のために使用されることができるチャネルデータプロセッサ４００のブロック図である。チャネルデータプロセッサ４００は、図３の一つのチャネルデータプロセッサ３３２を実施するために使用されることができる。チャネルデータストリームの送信は、（例えば、図２R>２のデータ１に関しては）多重サブチャネルで起こり得て、多重アンテナからも起こることがあり得る。それぞれのサブチャネル上の、及び、それぞれのアンテナからの送信は、重複なしのデータを表すことができる。
【０１４４】
チャネルデータプロセッサ４００の内で、デマルチプレクサ４２０は、コード化されたデータストリームＸｉを、多くのサブチャネルデータストリーム、Ｘｉ,１乃至Ｘｉ,Ｍ、データ送信に使用されているそれぞれのサブチャネルに一つのサブチャネルデータストリーム、に受信し非多重化する。非多重化されたデータは、同一または非同一でありえる。例えば、送信経路に関するいくつかの情報が周知の場合（即ち、全ＣＳＩまたは部分的なＣＳＩが周知である場合）、デマルチプレクサ４２０は、より多くのデータビットをより多くのｂｐｓ／Ｈｚを送信する能力があるサブチャネルにあてることができる。しかしながら、どんなＣＳＩも周知でない場合、デマルチプレクサ４２０は、各々の割当られたサブチャネルに一様にほぼ等しいビット数をあてる。
【０１４５】
それぞれのサブチャネルデータストリームは、それでそれぞれの空間分割プロセッサ４３０に提供される。それぞれの空間分割プロセッサ４３０は、受信されたサブチャネルデータストリームをデータサブストリームの数（ＮＴまで）、データを送信するために使用されるそれぞれのアンテナのための一つのデータサブストリームに、さらに非多重化できる。このように、デマルチプレクサ４２０、及び空間分割プロセッサ４３０の後、コード化されたデータストリームＸｉは、ＮＴまでのアンテナからＬサブチャネルまでに送信されるＬ・ＮＴまでのデータサブストリームに非多重化されることができる。
【０１４６】
いかなる特定のタイムスロットでも、ＮＴまでの変調シンボルは、それぞれの空間の分割プロセッサ４３０により生成されることができ、ＮＴ結合器４００ａ乃至４４０ｔに与えられることが可能である。例えば、サブチャネル１に割り当てられる空間分割プロセッサ４３０ａは、サブチャネル１のアンテナ１乃至ＮＴのためのＮＴまでの変調シンボルを提供できる。同様に、サブチャネルｋに割り当てられる空間の分割プロセッサ４３０ｋは、アンテナ１乃至ＮＴのサブチャネルｋのためのＮＴまでのシンボルを提供できる。それぞれの結合器４４０は、Ｌサブチャネルのための変調シンボルを受信し、それぞれのタイムスロットのためのシンボルを変調シンボルベクトルに結合し、変調シンボルベクトルを変調シンボルベクトルストリームＶとして、次の処理段階（例えば、変調器１１４）に提供する。
【０１４７】
チャネルデータプロセッサ４００は、また、上記した全ＣＳＩかまたは部分的なＣＳＩ処理方式を実施するために必要な処理を提供するように設計されていることができる。ＣＳＩ処理は、使用可能なＣＳＩ情報に、及び、選択されたチャネルデータストリーム、サブチャネル、アンテナ、その他に基づいて実行されることができる。ＣＳＩ処理は、選択的及び動的に、使用可能及び使用不可能であり得る。例えば、ＣＳＩ処理は、特定の送信のために使用可能であり、他のいくつかの送信のために使用不可能であり得る。例えば、送信リンクが十分なＣ／Ｉを有する時、ＣＳＩ処理は特定の状況下で使用可能でありえる。
【０１４８】
図４のチャネルデータプロセッサ４００は、高いレベルのフレキシビリティを提供する。しかしながら、そのようなフレキシビリティが、全てのチャネルデータストリームのために典型的に必要とされるというわけではない。例えば、音声通話のためのデータは、電話の間に、一つのサブチャネルを通じて典型的に送信される、またはそのような時間まで、サブチャネルとして再設定される。チャネルデータプロセッサの設計は、これらのチャネルデータストリームのために極めて単純化されることができる。
【０１４９】
図５は、オーバーヘッドデータ、信号、音声またはトラフィックデータのような一つのチャネルデータストリームのために使用されることができる処理のブロック図である。空間分割プロセッサ４５０は、図３の一つのチャネルデータプロセッサ３３２を実施するために使用されることができる、及び、例えば音声通話のようなチャネルデータストリームをサポートするために使用されることができる。音声通話は、多重タイムスロット（例えば、図２の音声１）のための一つのサブチャネルに、典型的に割り当てられ、多重アンテナから送信されることができる。コード化されたデータストリームＸjは、データをブロックに分類する空間分割プロセッサ450に提供され、それぞれのブロックは、変調シンボルを生成するために使用される特定のビット数を有する。空間分割プロセッサ４５０からの変調シンボルは、チャネルデータストリームを送信するために使用される一つ以上アンテナと関連している一つ以上結合器４４０に提供される。
【０１５０】
図２に示された、送信信号の生成が可能な送信装置の特定の実施の形態は、ここで、発明のより良い理解のために記載される。図２のタイムスロット２において、制御データはサブチャネル１に送信され、ブロードキャストデータはサブチャネル２に送信され、音声通話１及び２はサブチャネル３及び４に割り当てられ、そしてトラフィックデータはサブチャネル５乃至１６に送信される。この例では、送信装置は４つの送信アンテナ（即ち、ＮＴ＝４）を含み、４つの送信信号（即ち、４つのＲＦ変調信号）は４つのアンテナのために生成されると仮定される。
【０１５１】
図６は、図２のタイムスロット２のための送信信号を生成するために使用されることができる一部のプロセッサのブロック図である。入力データストリームは、図２の制御、ブロードキャスト、音声１、音声２及びデータ１に対応してストリームを５つのチャネルデータストリーム（Ｓl乃至Ｓ５）に非多重化するデマルチプレクサ（DEUX）５１０に提供される。それぞれのチャネルデータストリームは、そのストリームのために選択されるコード化方式を使用してデータをコード化するそれぞれのエンコーダ５１２に提供される。
【０１５２】
この例では、チャネルデータストリームＳ１乃至Ｓ３は送信のダイバーシティを使用して送信される。このように、各々の符号化データストリームＸ１乃至Ｘ３は、そのストリームのための変調シンボルを生成する、それぞれのチャネルデータプロセッサ５３２に提供される。各々のチャネルデータプロセッサ５３２ｃ乃至５３２ａからの変調シンボルは、その後４つの結合器５４０ａ乃至５４０ｄの全てに提供される。それぞれの結合器５４０は、結合器と関連しているアンテナのために指定された１６のサブチャネルの全てのための変調シンボルを受信する、変調シンボルベクトルを生成するためにそれぞれのタイムスロットでそれぞれのサブチャネル上のシンボルを結合する、及び、変調シンボルベクトルを変調シンボルベクトルストリームＶとして、関連する変調器１１４に提供する。図６に示したように、チャネルデータストリームＳ１は、４つのアンテナの全てからサブチャネル１で送信され、チャネルデータストリームＳ２は、４つのアンテナの全てからサブチャネル２で送信され、及び、チャネルデータストリームＳ３は、４つのアンテナの全てからサブチャネル３で送信される。
【０１５３】
図７は、チャネルデータストリームＳ４のためのコード化されたデータを処理するために使用される一部の処理ユニットのブロック図である。この例では、チャネルデータストリームＳ４は、空間のダイバーシティを使用して送信される（及び、チャネルデータストリームＳ１乃至Ｓ３のために使用され、ダイバーシティを送信しない）である。空間のダイバーシティと共に、データは多重アンテナを通じて、（各々の割り当てられたサブチャネルに、または相異するタイムスロットにおいて、同時に）非多重化され、送信される。符合化されたデータストリームＸ４は、そのストリームのための変調シンボルを形成するチャネルデータプロセッサ５３２ｄに提供される。この場合変調シンボルは、チャネルの各々の固有モードに対応するシンボルアルファベットから選択された変調シンボルの線形組合せである。
【０１５４】
この例では、４つの異なった固有モードがあり、そのそれぞれは相異する情報量を伝達できる。一例として、固有モード１は、６４ＱＡＭ（６ビット）が確実に送信されることを可能にするＣ／Ｉを有し、固有モード２は、１６ＱＡＭ（４ビット）を可能にし、固有モード３は、ＱＰＳＫ（２ビット）を可能にし、及び固有モード４は、ＢＰＳＫ（１ビット）が使用されるのを可能にする、と仮定する。このように、４つの固有モード全ての組合せは、合計１３の情報ビットが、同じサブチャネルの４つのアンテナ全てで効果的な変調シンボルとして同時に送信されることを可能にする。上の方程式（１）において、与えられる行列掛算により記載されるように、それぞれのアンテナ上の割り当てられたサブチャネルのための効果的変調シンボルはそれぞれの固有モードと関連している個々のシンボルの線形組合せである。
【０１５５】
図８は、チャネルデータストリームＳ５を処理するために使用される処理ユニットの一部のブロック図である。符合化されたデータストリームＸ５は、ストリームＸ５を１２のサブチャネルデータストリーム、Ｘ５，１１乃至Ｘ５，１６、各々の割当られたサブチャネル５乃至１６のための一つのサブチャネルデータストリームに非多重化するデマルチプレクサ（ＤＥＭＵＸ）５３０に提供される。それぞれのサブチャネルデータストリームは、その後、関連するサブチャネルデータストリームのための変調シンボルを生成するそれぞれのサブチャネルデータプロセッサ５３６に提供される。サブチャネルデータプロセッサ５３６ａ乃至５３６１からのサブチャネルシンボルストリームは、それぞれ、その後、デマルチプレクサ５３８ａ乃至５３８１に提供される。それぞれのデマルチプレクサ５３８は、受信されたサブチャネルシンボルストリームを４つのシンボルサブストリームに非多重化し、それぞれのシンボルサブストリームは特定のアンテナにおける特定のサブチャネルに対応する。それぞれのデマルチプレクサ５３８からの４つのシンボルサブストリームは、その後、４つの結合器５４０ａ乃至５４０ｄに提供される。
【０１５６】
図８において、サブチャネルデータストリームは、その後４つのシンボルサブストリーム（それぞれのアンテナの特定のサブチャネルのための一つのシンボルサブストリーム）に非多重化されるサブチャネルシンボルストリームを生成するために処理される。この実施の形態は、図４に記載されたものと相異する。
【０１５７】
図４において、特定のサブチャネルに指定されたサブチャネルデータストリームは、多くのデータサブストリーム（それぞれのアンテナのための一つのデータサブストリーム）に非多重化され、そして対応したシンボルサブストリームを生成するために処理される。図８の非多重化は、シンボル変調の後に実行され、一方、図４の非多重化は、シンボル変調の前に実行される。他の実施の形態もまた、使用されることができ、本発明の範囲内である。
【０１５８】
図８のサブチャネルデータプロセッサ５３６及びデマルチプレクサ５３８のそれぞれの組合せは、図７のサブチャネルデータプロセッサ５３２ｄ及びデマルチプレクサ５３４ｄの組合せと類似した方法で機能する。平均して、それぞれのデマルチプレクサ５３８からのそれぞれのシンボルサブストリームのレートは、関連するチャネルデータプロセッサ５３６からのシンボルストリームのレートの４分の１である。
【０１５９】
図９は、多重受信アンテナを有する、受信装置６００のブロック図であり、それは一つ以上のチャネルデータストリームを受信するために使用されることができる。一つ以上の送信アンテナからの送信された一つ以上の信号は、各々のアンテナ６１０ａ乃至６１０ｒにより受信されることができ、それぞれのフロントエンドプロセッサ６１２に送られることが可能である。例えば、受信アンテナ６１０ａは多くの送信アンテナから送信された多くの信号を受信することができ、受信アンテナ６１０ｒは同様に多重送信された信号を受信できる。それぞれのフロントエンドプロセッサ６１２は、受信された信号を調整し（例えば、濾波及び増幅）、調整された信号を中間周波数またはベースバンドにダウンコンバート（downconverts）し、及びダウンコンバートされた信号を標本化及び量子化する。それぞれのフロントエンドプロセッサ６１２は典型的に、それぞれの受信アンテナにひとつ、それぞれのＦＦＴプロセッサ６１４に提供される「コヒ―レント」な標本を生成するために受信されたパイロットを用いて特定のアンテナと関連する標本をさらに復調する。。それぞれのＦＦＴプロセッサ６１４は、受信された標本の変換された表現を生成し、変調シンボルベクトルのそれぞれのストリームを提供する。ＦＦＴプロセッサ６１４ａ乃至６１４ｒからの変調シンボルベクトルストリームは、デマルチプレクサ及び結合器６２０に提供され、そこでは、それぞれのＦＦＴプロセッサ６１４からの変調シンボルベクトルのストリームを（Ｌまでの）多くのサブチャネルシンボルストリームにチャネライズする。復調及び復号の前に使用される（例えば、ダイバーシティまたはＭＩＭＯ）通信方式に基づいて、全てのＦＦＴプロセッサ６１４からのサブチャネルシンボルストリームは処理される。
【０１６０】
ダイバーシティ通信モードを使用して送信されるチャネルデータストリームのため、チャネルデータストリームの送信のために使用される全てのアンテナからのサブチャネルシンボルストリームは、時間、空間及び周波数の全体に重複した情報を結合する結合器に提供される。結合された変調シンボルのストリームは、その後（ダイバーシティ）チャネルプロセッサ６３０に提供され、従って復調される。
【０１６１】
ＭＩＭＯ通信モードを使用して送信されるチャネルデータストリームのための、チャネルデータストリームの送信のために使用される全てのサブチャネルシンボルストリームは、それぞれのサブチャネルの受信された変調シンボルを異なった固有モードへ直交化（orthogonalizes）するＭＩＭＯプロセッサに提供される。ＭＩＭＯプロセッサは、上の方程式（２）により記載される処理を実行し、及び送信装置で使用される固有モードの数に対応して多くの独立したシンボルサブストリームを生成する。例えば、ＭＩＭＯプロセッサは、調整後の（postconditioned）変調シンボルを生成するために残された固有ベクトルを用いて受信された変調シンボルの乗算を実行することができ、それは送信装置における全ＣＳＩプロセッサより前の変調シンボルに該当する。（調整後の）シンボルサブストリームは、その後、（ＭＩＭＯ）チャネルプロセッサ６３０に提供され、従って復調される。このように、それぞれのチャネルプロセッサ６３０は、（ダイバーシティ通信モードのための）変調シンボルまたは（ＭＩＭＯ通信モードのための）多くのシンボルサブストリームのストリームを受信する。変調シンボルのそれぞれのストリームまたはサブストリームは、処理されているサブチャネルのために送信装置で使用される変調方式と相補的である復調方式（例えば、Ｍ−ＰＳＫ、Ｍ−ＱＡＭまたは他のもの）を実施する、それぞれの復調器（ＤＥＭＯＤ）に提供される。ＭＩＭＯ通信モードのために、全ての割り当てられた復調器からの復調されたデータは独立して復号化されることができ、または一つのチャネルデータストリームに多重送信されることができ、及び、送信装置で使用される符合化及び変調方法によって、復号化されることができる。ダイバーシティ及びＭＩＭＯ通信モードのため、チャネルプロセッサ６３０からのチャネルデータストリームは、送信装置でチャネルデータストリームのために使用されるものと相補的な復号化方式を実施するそれぞれのデコーダ６４０に提供されることができる。それぞれのデコーダ５４０からの復号化データは、そのチャネルデータストリームのために送信されたデータの評価を表す。
【０１６２】
図９は、受信装置の一実施例を表す。他の設計は予測可能であり、本発明の範囲内である。例えば受信装置は、一つの受信アンテナだけを有して設計されることができ、または、多重（例えば音声，データ）チャネルデータストリームを同時に処理することが可能に設計されることができる。
【０１６３】
上記したように、マルチ搬送波変調は、本発明の通信システムで使用される。特に、ＯＦＤＭ変調は、マルチパス環境中の改良した性能、（相対的な意味において、ＭＩＭＯモードの操作のための、）実施の形態の減少した複雑性、及びフレキシビリティを含む多くの利点を提供するために使用されることができる。しかしながら、マルチ搬送波変調の他の可変要素も使用されることができ、本発明の範囲内である。
【０１６４】
ＯＦＤＭ変調は、マルチパス遅延拡散または送信アンテナ及び受信アンテナの間の伝搬環境により導入される差動の経路遅延のためにシステム効率を改善できる。通信リンク（即ち、ＲＦチャネル）は、遅延拡散を有し、システム動作しているバンド幅Ｗの逆数より潜在的に大きくなることができる。このために、遅延拡散より少ない送信シンボル期間を有する変調方式を使用している通信システム、はインターシンボル（inter-symbol）干渉（ＩＳＩ）を経験する。このＩＳＩは、受信されたシンボルを歪め、不正確な検出の可能性を増大する。
【０１６５】
ＯＦＤＭ変調と共に、送信チャネル（または動作しているバンド幅）は、データを伝達するために使用される、（かなりの）多数の平行したサブチャネル（またはサブバンド）に本質的に分割される。各々のサブチャネルが典型的に通信リンクのコヒーレンス（coherence）バンド幅より非常に少ないバンド幅しか有さないので、リンクの遅延拡散のためのＩＳＩは、ＯＦＤＭ変調を使用して、かなり減少または取り除かれる。対照的に、送信シンボルレートが通信リンクの遅延拡散と比較してわずかでない限り、大部分の通常の変調方式（例えば、ＱＰＳＫ）はＩＳＩに高感度である。
【０１６６】
上記したように、周期的プレフィックスは、マルチパスの有害な効果を防止するために使用されることができる。周期的プレフィックスは、ＯＦＤＭシンボルの一部（ＩＦＦＴの後、通常は正面の部分）であり、シンボルの後部に付加される（wrapped around）。周期的プレフィックスはＯＦＤＭシンボルの直角を保持するために使用され、それは典型的にマルチパスにより破壊される。
【０１６７】
一例として、チャネル遅延拡散が１０マイクロ秒未満である通信システムを考える。それぞれのＯＦＤＭシンボルは、マルチパス遅延拡散がある場合には、全体的なシンボルがその直角の特性を保持することを保証する周期的プレフィックスをそれに追加した。周期的プレフィックスがどんな付加的な情報も伝達しないので、それは本質的にオーバーヘッドである。良い効率を維持するために、周期的プレフィックスの期間は、全体的な送信シンボル期間のわずかな断片であるように選択される。周期的プレフィックスを示すために５％のオーバーヘッドを使用している上記の実施例で、２００マイクロ秒の送信シンボル期間は、１０マイクロ秒最大チャネル遅延拡散のために十分である。２００マイクロ秒の送信シンボル期間は、各々のサブバンドのための５ｋＨｚのバンド幅に対応する。全体的なシステムバンド幅が１．２２８８ＭＨｚである場合、およそ５ｋＨｚの２５０のサブチャネルが提供されることができる。実際問題として、サブチャネルの数が２の累乗であることは、便利である。このように、送信シンボル期間は２０５マイクロ秒に増大される、及びシステムのバンド幅がＭ＝２５６サブバンドに分割される場合、それぞれのサブチャネルは、４．８８ｋＨｚのバンド幅を有する。
【０１６８】
本発明のある実施例において、ＯＦＤＭ変調は、システムの複雑性を減らすことができる。通信システムがＭＩＭＯ技術を取り入れる時、受信装置と関連している複雑性は、特にマルチパスがある時、重大でありえる。ＯＦＤＭ変調の使用は、各々のサブチャネルが使用されるＭＩＭＯ処理によって、独立した方法で処理されることを可能にする。このように、ＭＩＭＯ技術が使用される場合、ＯＦＤＭ変調は受信装置における信号処理を極めて単純化できる。
【０１６９】
ＯＦＤＭ変調は、また、多重ユーザの間でシステムバンド幅Ｗを共有する際に、加算されたフレキシビリティを産出できる。具体的には、ＯＦＤＭシンボルの使用可能な送信空間は、一群のユーザ間で分配されることができる。例えば、低レート音声ユーザはＯＦＤＭシンボルのサブチャネルまたはサブチャネルの断片に割り当てられることが可能である、一方、残りのサブチャネルは、集められた要求に基づいてデータユーザに割り当てられることが可能である。加えて、オーバーヘッド、ブロードキャスト及び制御データは、いくつかの使用可能なサブチャネルに、または（おそらく）サブチャネルの一部に伝達されることができる。
【０１７０】
上記の通りに、それぞれのタイムスロットのそれぞれのサブチャネルは、Ｍ−ＰＳＫまたはＭ−ＱＡＭのようないくつかのアルファベット（alphabet）から選択される変調シンボルと関連している。ある実施例において、最も多くの効率的利用がそのサブチャネルでできているように、各々のＬサブチャネルの変調シンボルを、選択できる。例えば、サブチャネル１は、ＱＰＳＫを使用して生成されることができる、サブチャネル２は、ＢＰＳＫを使用して生成されることができる、サブチャネル３は、１６−ＱＡＭを使用して生成されることができる、など。このように、それぞれのタイムスロットの、ＬサブチャネルのためのＬまでの変調シンボルは、生成され、結合されて、そのタイムスロットの変調シンボルベクトルを生成する。
【０１７１】
一つ以上のサブチャネルは、一つ以上のユーザに割り当てられることが可能である。例えば、それぞれの音声ユーザは単一のサブチャネルに割り当てられることが可能である。残りのサブチャネルは、データユーザに動的に割り当てられることが可能である。この場合、残りのサブチャネルは、単一のデータユーザに割り当てられることができ、または多数のデータユーザ間で分けられることが可能である。加えて、いくつかのサブチャネルは、オーバーヘッド、ブロードキャスト及び制御データを送信することのために確保されることができる。本発明のある実施例において、ダイバーシティを増大し、いくつかの干渉平均算出を提供するために、サブチャネルの割当てを（おそらく）変調シンボルから疑似ランダム方法のシンボルまで変化させることは、望ましい。
【０１７２】
ＣＤＭＡシステムにおいて、それぞれの逆方向リンク送信の送信電力は、要求されたフレームエラーレート（ＦＥＲ）が基地局において、最小の送信電力で達成されるように制御され、それによって、システムの他のユーザに対する妨害を最小化する。ＣＤＭＡシステムの順方向リンク上で、送信電力はまた、システム容量を増大するように調整される。
【０１７３】
本発明の通信システムにおいて、順方向及び逆方向リンク上の送信電力は、干渉を最小化し、システム容量を最大にするために制御されることができる。電力制御は、種々の方法で達成されることができる。例えば、電力制御はそれぞれのチャネルデータストリームで、それぞれのサブチャネルで、それぞれのアンテナで、または他のいくつかの測定のユニットで、実行されることができる。
【０１７４】
ダイバーシティ通信モードにおいて、動作するとき、特定のアンテナからの経路損失が大きい場合、このアンテナからの送信は、ほとんど何も受信装置で得られることができなくなってから以後減少またを、抑制できる。同様に、送信が多重サブチャネルを通じて発生する場合、より少ない電力は、最も多くの経路損失を経験しているサブチャネル（sub-channel(s)）に送信される可能性がある。
【０１７５】
実施の形態において、電力制御はＣＤＭＡシステムで使用されるものと同様のフィードバックメカニズムで達成されることができる。電力制御情報は、送信装置をその送信電力を増減するように導くために、受信装置から送信装置まで周期的にまたは独立して送信されることができる。電力制御ビットは、受信装置で例えばＢＥＲまたはＦＥＲに基づいて生成されることができる。
【０１７６】
図１０は、本発明の通信システムのいくつかの通信方式と関連しているスペクトルの効率を例示する描画を示す。図１０において、与えられたビット誤り率のための変調シンボルあたりのビット数は、多くのシステム構成のためのＣ／Ｉの関数として与えられる。表記法ＮＴｘＮＲは構成の次元を示し、ＮＴは送信アンテナ数、ＮＲは受信アンテナ数である。２つのダイバーシティ構成、すなわち１ｘ２及び１ｘ４及び４つのＭＩＭＯ構成、すなわち、２ｘ２、２ｘ４、４ｘ４及び８ｘ４はシミュレーションされ、その結果は図１０に提供される。
【０１７７】
描画に示すように、与えられたＢＥＲのためのシンボル当たりのビット数は、１ｂｐｓ／Ｈｚ未満からほぼ２０のｂｐｓ／Ｈｚまで変動する。Ｃ／Ｉの低値において、ダイバーシティ通信モード及びＭＩＭＯ通信モードのスペクトルの効率は類似しており、効率の改良はあまり目立たない。しかしながら、Ｃ／Ｉのより高い値において、ＭＩＭＯ通信モードを用いたスペクトルの効率の増加は、より劇的になる。あるＭＩＭＯ構成において、及びある状態の、改良は、瞬間的に最高２０倍に到達できる。
【０１７８】
これらの描画から、送信及び受信アンテナの数が増大するにつれて、スペクトルの効率が一般に増大することが観察できる。その改良はまた、通常はより低いＮＴ及びＮＲに限られている。例えば、ダイバーシティ構成１ｘ２及び１ｘ４は、両方とも漸近的におよそ６ｂｐｓ／Ｈｚに到達する。
【０１７９】
達成可能な種々のデータレートを調べる際、図１０において、与えられるスペクトルの効率値は、サブチャネルのために可能なデータレートの範囲を得るためにサブチャネルベース上の結果に適用されることができる。一例として、５ｄＢのＣ／Ｉで動作している加入者ユニットにとって、この加入者ユニットのために達成可能なスペクトルの効率は、使用される通信方式に従って、１ｂｐｓ／Ｈｚ及び２．２５のｂｐｓ／Ｈｚとの間にある。このように、５ｋＨｚのサブチャネルで、この加入者ユニットは、５ｋｂｐｓから１０．５ｋｂｐｓの範囲のピークのデータレートを持続させることができる。Ｃ／Ｉが１０ｄＢである場合、同じ加入者ユニットはサブチャネルにつき１０．５ｋｂｐｓから２５ｋｂｐｓまでの範囲のピークのデータレートを持続させることができる。使用可能な２５６のサブチャネルによって、１０ｄＢのＣ／Ｉで動作している加入者ユニットのためのピークの持続するデータレートは、６．４Ｍｂｐｓである。このように、加入者ユニットのデータレート要求及び加入者ユニットのための動作しているＣ／Ｉを与えることによって、システムは、要求を満たすためにサブチャネルの必要な数を割り当てることができる。データサービスの場合、タイムスロットにつき割り当てられるサブチャネルの数は、例えば他のトラフィックローディング（traffic loading）に従って変化できる。
【０１８０】
通信システムの逆方向リンクは、順方向リンクと同様の構造で設計されることができる。しかしながら、ブロードキャスト及び共通の制御チャンネルの代わりに、特定のサブチャネルにおいて、またはフレームの特定の変調シンボル位置において、またはその両方ともにおいて、定義されるランダムアクセスチャネルがあり得る。これらは、短い要請（例えば、レジストレーション（registration）、リソースの要請、その他）を中心の局に送信するためにいくつかまたは全ての加入者ユニットにより使用されることができる。共通のアクセスチャンネルにおいて、加入者ユニットは、共通の変調及び符合化を使用できる。順方向リンクでのように、残りのチャネルはユーザを隔てるために割り当てられることが可能である。（順方向及び逆方向リンクの双方で）リソースの割当や割当解除は、システムにより制御されることができ、順方向リンクの制御チャンネルで伝達されることができる。
【０１８１】
逆方向リンク上での一つの考慮されるべき設計は、最も近い加入者ユニット及び最も遠い加入者ユニットの間の最大の差動の伝播遅延である。この遅延が周期的プレフィックス期間と関連してわずかであるシステムにおいて、送信装置で修正を実行することは必要でないことができる。しかしながら、遅延が重大であるシステムで、周期的プレフィックスは、徐々に増加する遅延を占めるために拡張されることができる。諸事例では、シンボルが正しい瞬間で中心の局に到着するので、往復の遅延の合理的評価を下すこと、及び、送信の時間を修正することは可能であり得る。通常、残存するいくつかのエラーがあるので、周期的プレフィックスはまた、この残存するエラーを収容するために更に拡張されることができる。
【０１８２】
通信システムにおいて、カバレージエリア（coverage area）のいくつかの加入者ユニットは、複数の中心の局から信号を受信することが可能でありえる。複数の中心の局により送信される情報が２つ以上のサブチャネルでおよび／または２つ以上のアンテナから重複している場合、受信された信号は、ダイバーシティ−結合方式を使用している加入者ユニットによって、結合及び復調されることができる。使用される周期的プレフィックスが最も早い到着と最も遅い到着との間の差動の伝播遅延を取り扱うために十分な場合、信号は、受信装置において、（最適に）結合されることができ、正しく復調されることができる。このダイバーシティの受容は、ＯＦＤＭのブロードキャスト適用において、周知である。サブチャネルが特定の加入者ユニットに割り当てられるとき、特定のサブチャネル上の同じ情報が多くの中心の局から特定の加入者ユニットへ送信されることは、可能である。
【０１８３】
この概念は、ＣＤＭＡシステムで使用される柔軟なハンドオフ（handoff）と類似している。
【０１８４】
上記のように、送信装置及び受信装置は、データプロセッサ、エンコーダ、ＩＦＦＴ、ＦＦＴ、デマルチプレクサ、結合器、及びその他、の様々なタイプを含む種々の処理ユニットでそれぞれ実施される。これらの処理ユニットは、例えば特定の集積回路の適用（application specific integrated circuit、ＡＳＩＣ）、デジタル信号プロセッサ、マイクロコントローラ、マイクロプロセッサ、または本願明細書において、記載された関数を実行するように設計された他の電子回路のような種々の方法で実施されることができる。また、処理ユニットは、本願明細書において、記載される関数を達成する命令コードを実行するために動作される多目的プロセッサまたは特別に設計されたプロセッサにより実施されることができる。このように、本願明細書において、記載される処理ユニットは、ハードウェア、ソフトウェアまたはその組合せを使用して実施されることができる。
【０１８５】
前述の好ましい実施例の記述は、いかなる当業者も本発明を作成または使用できるように提供される。これらの実施例に対する種々の変形実施例は、当業者にとって容易に明らかであり、本願明細書において、定義される一般的な原理は、発明の能力を用いずに他の実施例に適用されることができる。このように、本発明は本願明細書において、示される実施例に限られず、本願明細書において、開示された原理及び新しい特徴と矛盾しない最も広い範囲を与えられるべきである。
【図面の簡単な説明】
【０１８６】
【図１】１Ａは多重入力多重出力（ＭＩＭＯ）通信システムの図であり、１Ｂはチャネル状態情報のフィードバックを有するＯＦＤＭベースのＭＩＭＯシステムの図であり、１Ｃはチャネル状態情報を評価するために用いられることが可能である例示的なＯＦＤＭパイロット信号の構造図である。
【図２】送信装置の送信アンテナからの送信の特定の例の視覚的な図である。
【図３】図１Ａに示されるデータプロセッサ及び通信システムの変調器のブロック図である。
【図４】制御、ブロードキャスト、音声またはトラフィックデータのような一つのチャネルデータストリームを処理するために使われ得る、チャネルデータプロセッサの一つの実施例のブロック図である。
【図５】制御、ブロードキャスト、音声またはトラフィックデータのような一つのチャネルデータストリームを処理するために使われ得る、チャネルデータプロセッサの他の実施例のブロック図である。
【図６】図２に示される送信信号を生成するために用いられることが可能であるプロセッサのブロック図である。
【図７】図２に示される送信信号を生成するために用いられることが可能であるプロセッサのブロック図である。
【図８】図２に示される送信信号を生成するために用いられることが可能であるプロセッサのブロック図である。
【図９】複数の多重受信アンテナを有し、一つ以上のチャネルデータストリームを受信できる受信装置のブロック図である。
【図１０】一実施例に従って通信システムのいくつかの操作方式によって、なし遂げられるスペクトルの有効性を例示する描画である。
【符号の説明】
【０１８７】
１００…通信システム、１１４…変調器、１１６…送信アンテナ、１２２…受信アンテナ、１２４…復調器、３１０…デマルチプレクサ、３１２…エンコーダ、３３２…チャネルデータプロセッサ、３３４…結合器、ＩＦＦＴ…３２０、周期的プレフィックス発生器…３２２、アップコンバータ…３２４。
【図１】
2005341603.tif 000013
【図２】
2005341603.tif 000014
【図３】
2005341603.tif 000015
【図４】
2005341603.tif 000016
【図５】
2005341603.tif 000017
【図６】
2005341603.tif 000018
【図７】
2005341603.tif 000019
【図８】
2005341603.tif 000020
【図９】
2005341603.tif 000021
【図１０】
2005341603.tif 000022
【手続補正書】
【提出日】平成17年6月27日(2005.6.27)
【手続補正１】
【補正対象書類名】明細書
【補正対象項目名】０１８６
【補正方法】変更
【補正の内容】
【０１８６】
【図１Ａ】多重入力多重出力（ＭＩＭＯ）通信システムの図である。
【図１Ｂ】チャネル状態情報のフィードバックを有するＯＦＤＭベースのＭＩＭＯシステムの図である。
【図１Ｃ】チャネル状態情報を評価するために用いられることが可能である例示的なＯＦＤＭパイロット信号の構造図である。
【図２】送信装置の送信アンテナからの送信の特定の例の視覚的な図である。
【図３】図１Ａに示されるデータプロセッサ及び通信システムの変調器のブロック図である。
【図４】制御、ブロードキャスト、音声またはトラフィックデータのような一つのチャネルデータストリームを処理するために使われ得る、チャネルデータプロセッサの一つの実施例のブロック図である。
【図５】制御、ブロードキャスト、音声またはトラフィックデータのような一つのチャネルデータストリームを処理するために使われ得る、チャネルデータプロセッサの他の実施例のブロック図である。
【図６】図２に示される送信信号を生成するために用いられることが可能であるプロセッサのブロック図である。
【図７】図２に示される送信信号を生成するために用いられることが可能であるプロセッサのブロック図である。
【図８】図２に示される送信信号を生成するために用いられることが可能であるプロセッサのブロック図である。
【図９】複数の多重受信アンテナを有し、一つ以上のチャネルデータストリームを受信できる受信装置のブロック図である。
【図１０】一実施例に従って通信システムのいくつかの操作方式によって、なし遂げられるスペクトルの有効性を例示する描画である。
【手続補正２】
【補正対象書類名】図面
【補正対象項目名】全図
【補正方法】変更
【補正の内容】
【図１Ａ】
2005341603.tif 000023
【図１Ｂ】
2005341603.tif 000024
【図１Ｃ】
2005341603.tif 000025
【図２】
2005341603.tif 000026
【図３】
2005341603.tif 000027
【図４】
2005341603.tif 000028
【図５】
2005341603.tif 000029
【図６】
2005341603.tif 000030
【図７】
2005341603.tif 000031
【図８】
2005341603.tif 000032
【図９】
2005341603.tif 000033
【図１０】
2005341603.tif 000034